(57)【要約】【課題】本発明の目的とするところは、互いに異なる複数のサービス提供サーバを通じて提供されるオブジェクトを一つのアプリケーションを通じて管理できる統合ウィッシュリストサービスを提供するユーザ端末装置、ディスプレイ装置、サーバ及びその制御方法を提供することにある。【解決手段】ユーザ端末装置が開示される。ユーザ端末装置は、ディスプレイ部と、複数の互いに異なる電子商取引ウェブサイトから商品を選択するためのＧＵＩ（Ｇｒａｐｈｉｃａｌ  Ｕｓｅｒ  Ｉｎｔｅｒｆａｃｅ）を提供するようにディスプレイ部を制御し、複数の互いに異なる電子商取引ウェブサイトから選択された商品に対する情報を受信し、統合ウィッシュリストに前記商品に対する情報を統合するプロセッサとを含む。【選択図】図４
2013218697.tif 000002
【特許請求の範囲】
【請求項１】
ユーザ端末装置において、
ディスプレイ部と、
複数の互いに異なる電子商取引ウェブサイトから商品を選択するためのＧＵＩ（Ｇｒａｐｈｉｃａｌ  Ｕｓｅｒ  Ｉｎｔｅｒｆａｃｅ）を提供するように前記ディスプレイ部を制御し、前記複数の互いに異なる電子商取引ウェブサイトから選択された商品に対する情報を受信し、統合ウィッシュリストに前記商品に対する情報を統合するプロセッサと
を含むユーザ端末装置。
【請求項２】
前記統合ウィッシュリストは、
リストで構成されたユーザの望む商品に対する情報の寄せ集めであることを特徴とする請求項１に記載のユーザ端末装置。
【請求項３】
前記複数の商品は、
第１電子商取引ウェブサイトからユーザによって前記ＧＵＩを通じて選択された第１商品および第２電子商取引ウェブサイトからユーザによって前記ＧＵＩを通じて選択された第２商品を含むことを特徴とする請求項２に記載のユーザ端末装置。
【請求項４】
前記第１商品は、前記ユーザが前記第１電子商取引ウェブサイトでナビゲーティングし、前記ＧＵＩを通じて前記統合ウィッシュリストに前記第１商品を追加して選択され、前記第２商品は、前記ユーザが前記第２電子商取引ウェブサイトでナビゲーティングし、前記ＧＵＩを通じて前記統合ウィッシュリストに前記第２商品を追加して選択されることを特徴とする請求項３に記載のユーザ端末装置。
【請求項５】
前記プロセッサは、前記統合ウィッシュリストをディスプレイするように前記ディスプレイ部を制御することを特徴とする請求項４に記載のユーザ端末装置。
【請求項６】
前記プロセッサは、前記統合ウィッシュリストにディスプレイされた前記複数の商品に対する購買要請を受信し、前記互いに異なる複数の電子商取引ウェブサイトを通じて、前記複数の商品に対する支払いを処理することを特徴とする請求項５に記載のユーザ端末装置。
【請求項７】
前記プロセッサは、前記第１電子商取引ウェブサイトを通じて前記第１商品に対する支払いを処理し、前記第２電子商取引ウェブサイトを通じて前記第２商品に対する支払いを処理することを特徴とする請求項６に記載のユーザ端末装置。
【請求項８】
前記ＧＵＩは、ウィッシュリストアイコンを含み、前記プロセッサは、前記第１電子商取引ウェブサイトから前記ＧＵＩを通じて前記第１商品を選択し、前記第１商品を前記ウィッシュリストアイコンに関連付ける第１入力を受信し、前記第１入力の受信に応答して前記統合ウィッシュリストに前記第１商品を追加し、前記第２電子商取引ウェブサイトから前記ＧＵＩを通じて前記第２商品を選択し、前記第２商品を前記ウィッシュリストアイコンに関連付ける第２入力を受信し、前記第２入力の受信に応答して前記統合ウィッシュリストに前記第２商品を追加することを特徴とする請求項３に記載のユーザ端末装置。
【請求項９】
前記第１入力は、前記第１商品を前記ウィッシュリストアイコンにドラッグするドラッグ入力であり、前記第２入力は、前記第２商品を前記ウィッシュリストアイコンにドラッグするドラッグ入力であることを特徴とする請求項８に記載のユーザ端末装置。
【請求項１０】
前記第１入力は、前記ウィッシュリストアイコンを前記第１商品にドラッグするドラッグ入力であり、前記第２入力は、前記ウィッシュリストアイコンを前記第２商品にドラッグするドラッグ入力であることを特徴とする請求項８に記載のユーザ端末装置。
【請求項１１】
前記ＧＵＩは、前記統合ウィッシュリストに含まれるように選択できる商品を指示するウィッシュリストアイコンを含み、
前記プロセッサは、第１入力に応答して前記商品が前記統合ウィッシュリストに含まれるように選択可能な場合、前記ＧＵＩを通じて前記第１商取引ウェブサイトから前記第１商品を選択し、前記統合ウィッシュリストに前記第１商品を追加するための前記第１入力を受信し、第２入力に応答して前記商品が前記統合ウィッシュリストに含まれるように選択可能な場合、前記ＧＵＩを通じて前記第２商取引ウェブサイトから前記第２商品を選択し、前記統合ウィッシュリストに前記第２商品を追加するための前記第２入力を受信することを特徴とする請求項３に記載のユーザ端末装置。
【請求項１２】
統合ウィッシュリスト提供方法において、
複数の互いに異なる電子商取引ウェブサイトから商品が選択されるためのＧＵＩ（Ｇｒａｐｈｉｃａｌ  Ｕｓｅｒ  Ｉｎｔｅｒｆａｃｅ）をディスプレイするステップと、
前記複数の互いに異なる電子商取引ウェブサイトから選択された商品に対する情報を受信するステップと、
統合ウィッシュリストに前記商品に対する情報を統合するステップと
を含む統合ウィッシュリスト提供方法。
【請求項１３】
前記複数の商品は、第１商品および第２商品を含み、
前記方法は、
前記ＧＵＩを通じて第１電子商取引ウェブサイトから前記第１商品に対する前記第１選択を受信するステップと、
前記ＧＵＩを通じて第２電子商取引ウェブサイトから前記第２商品に対する前記第２選択を受信するステップと
を更に含むことを特徴とする請求項１２に記載の統合ウィッシュリスト提供方法。
【請求項１４】
端末が統合ウィッシュリスト提供方法を実行するようにするコンピュータプログラムが記録された非一時的コンピュータ読み取り可能な媒体において、前記方法は、
複数の互いに異なる電子商取引ウェブサイトから商品に対する情報が受信されるようにするＧＵＩ（Ｇｒａｐｈｉｃａｌ  Ｕｓｅｒ  Ｉｎｔｅｒｆａｃｅ）を提供するステップと、
統合ウィッシュリストに前記商品に対する情報を統合するステップと
を含む非一時的コンピュータ読み取り可能な媒体。
【請求項１５】
ユーザ端末装置において、
ディスプレイ部と、
複数の互いに異なる電子商取引ウェブサイトから商品が選択されるためのＧＵＩ（Ｇｒａｐｈｉｃａｌ  Ｕｓｅｒ  Ｉｎｔｅｒｆａｃｅ）を提供するように前記ディスプレイ部を制御し、前記複数の互いに異なる電子商取引ウェブサイトから選択された商品に対する情報を受信し、統合ショッピングカートに前記商品に対する情報を統合するステップと
を含むユーザ端末装置。
【発明の詳細な説明】
【技術分野】
【０００１】
本発明は、ユーザ端末装置、ディスプレイ装置、サーバ及びその制御方法に関し、さらに詳細には、統合ウィッシュリストサービスを提供するユーザ端末装置、ディスプレイ装置、サーバ及びその制御方法に関する。
【背景技術】
【０００２】
電子技術の発達により多様な類型の電子装置が開発及び普及して使用されている。これにより、ユーザがこのような多様な電子装置をさらに效率的に使用できる方法に対する研究がなされつつある。
【０００３】
その中で代表的なものがオンラインショッピングサイトを介して商品を購買するオンラインショッピング技術である。過去では、ユーザが直接売り場を訪問して商品についての説明を聞いて購買したが、最近では、インターネットを介してショッピングサイトに接続して商品に対する情報をウェブページを介して確認し、直ちに決済まで行う方式で購買するケースが多く増加している。
【０００４】
オンラインショッピングサイトが提供するサービスの一つにウィッシュリスト（Ｗｉｓｈ  Ｌｉｓｔ）サービスがある。ウィッシュリストは、購買者が予め購買する物品をサーバに登録することであって、現在、このような機能は、該当オンラインショッピングサイトにおいてだけ使用可能である。すなわち、購買者は、ウィッシュリストに登録した商品を該当オンラインショッピングサイトを介してのみ購買できるという問題点がある。
【０００５】
これにより、互いに異なるオンラインショッピングサイトで提供する商品を統合して管理できる方案が求められる。
【先行技術文献】
【特許文献】
【０００６】
【特許文献１】米国特許公開第２０１１０１６１２０１号公報
【特許文献２】米国特許公開第２００９０２８７５８２号公報
【発明の概要】
【発明が解決しようとする課題】
【０００７】
そこで、本発明は、上記問題に鑑みてなされたものであり、本発明の目的とするところは、互いに異なる複数のサービス提供サーバを通じて提供されるオブジェクトを一つのアプリケーションを通じて管理できる統合ウィッシュリストサービスを提供するユーザ端末装置、ディスプレイ装置、サーバ及びその制御方法を提供することにある。
【課題を解決するための手段】
【０００８】
上記の問題点を解決するための本発明の一実施形態に係るユーザ端末装置は、ディスプレイ部と、複数の互いに異なる電子商取引ウェブサイトから商品を選択するためのＧＵＩ（Ｇｒａｐｈｉｃａｌ  Ｕｓｅｒ  Ｉｎｔｅｒｆａｃｅ）を提供するように前記ディスプレイ部を制御し、前記複数の互いに異なる電子商取引ウェブサイトから選択された商品に対する情報を受信し、統合ウィッシュリストに前記商品に対する情報を統合するプロセッサとを含む。
【０００９】
ここで、前記統合ウィッシュリストは、リストで構成されたユーザの望む商品に対する情報の寄せ集めであってよい。
【００１０】
なお、前記複数の商品は、第１電子商取引ウェブサイトからユーザによって前記ＧＵＩを通じて選択された第１商品および第２電子商取引ウェブサイトからユーザによって前記ＧＵＩを通じて選択された第２商品を含んでよい。
【００１１】
なお、前記第１商品は、前記ユーザが前記第１電子商取引ウェブサイトでナビゲーティングし、前記ＧＵＩを通じて前記統合ウィッシュリストに前記第１商品を追加して選択され、前記第２商品は、前記ユーザが前記第２電子商取引ウェブサイトでナビゲーティングし、前記ＧＵＩを通じて前記統合ウィッシュリストに前記第２商品を追加して選択されてよい。
【００１２】
なお、前記プロセッサは、前記統合ウィッシュリストをディスプレイするように前記ディスプレイ部を制御してよい。
【００１３】
なお、前記プロセッサは、前記統合ウィッシュリストにディスプレイされた前記複数の商品に対する購買要請を受信し、前記互いに異なる複数の電子商取引ウェブサイトを通じて、前記複数の商品に対する支払いを処理してよい。
【００１４】
なお、前記プロセッサは、前記第１電子商取引ウェブサイトを通じて前記第１商品に対する支払いを処理し、前記第２電子商取引ウェブサイトを通じて前記第２商品に対する支払いを処理してよい。
【００１５】
なお、前記ＧＵＩは、ウィッシュリストアイコンを含み、前記プロセッサは、前記第１電子商取引ウェブサイトから前記ＧＵＩを通じて前記第１商品を選択し、前記第１商品を前記ウィッシュリストアイコンに関連付ける第１入力を受信し、前記第１入力の受信に応答して前記統合ウィッシュリストに前記第１商品を追加し、前記第２電子商取引ウェブサイトから前記ＧＵＩを通じて前記第２商品を選択し、前記第２商品を前記ウィッシュリストアイコンに関連付ける第２入力を受信し、前記第２入力の受信に応答して前記統合ウィッシュリストに前記第２商品を追加してよい。
【００１６】
なお、前記第１入力は、前記第１商品を前記ウィッシュリストアイコンにドラッグするドラッグ入力であり、前記第２入力は、前記第２商品を前記ウィッシュリストアイコンにドラッグするドラッグ入力であってよい。
【００１７】
なお、前記第１入力は、前記ウィッシュリストアイコンを前記第１商品にドラッグするドラッグ入力であり、前記第２入力は、前記ウィッシュリストアイコンを前記第２商品にドラッグするドラッグ入力であってよい。
【００１８】
なお、前記ＧＵＩは、前記統合ウィッシュリストに含まれるように選択できる商品を指示するウィッシュリストアイコンを含み、前記プロセッサは、第１入力に応答して前記商品が前記統合ウィッシュリストに含まれるように選択可能な場合、前記ＧＵＩを通じて前記第１商取引ウェブサイトから前記第１商品を選択し、前記統合ウィッシュリストに前記第１商品を追加するための前記第１入力を受信し、第２入力に応答して前記商品が前記統合ウィッシュリストに含まれるように選択可能な場合、前記ＧＵＩを通じて前記第２商取引ウェブサイトから前記第２商品を選択し、前記統合ウィッシュリストに前記第２商品を追加するための前記第２入力を受信してよい。
【００１９】
一方、本発明の一実施形態に係る統合ウィッシュリスト提供方法は、複数の互いに異なる電子商取引ウェブサイトから商品が選択されるためのＧＵＩ（Ｇｒａｐｈｉｃａｌ  Ｕｓｅｒ  Ｉｎｔｅｒｆａｃｅ）をディスプレイするステップと、前記複数の互いに異なる電子商取引ウェブサイトから選択された商品に対する情報を受信するステップと、統合ウィッシュリストに前記商品に対する情報を統合するステップとを含む。
【００２０】
なお、前記複数の商品は、第１商品および第２商品を含み、前記方法は、前記ＧＵＩを通じて第１電子商取引ウェブサイトから前記第１商品に対する前記第１選択を受信するステップと、前記ＧＵＩを通じて第２電子商取引ウェブサイトから前記第２商品に対する前記第２選択を受信するステップとを更に含んでよい。
【００２１】
なお、本発明の一実施形態に係る端末が統合ウィッシュリスト提供方法を実行するようにするコンピュータプログラムが記録された非一時的コンピュータ読み取り可能な媒体において、前記方法は、複数の互いに異なる電子商取引ウェブサイトから商品に対する情報が受信されるようにするＧＵＩ（Ｇｒａｐｈｉｃａｌ  Ｕｓｅｒ  Ｉｎｔｅｒｆａｃｅ）を提供するステップと、統合ウィッシュリストに前記商品に対する情報を統合するステップとを含む。
【００２２】
なお、本発明の別の実施形態に係るユーザ端末装置は、ディスプレイ部と、複数の互いに異なる電子商取引ウェブサイトから商品が選択されるためのＧＵＩ（Ｇｒａｐｈｉｃａｌ  Ｕｓｅｒ  Ｉｎｔｅｒｆａｃｅ）を提供するように前記ディスプレイ部を制御し、前記複数の互いに異なる電子商取引ウェブサイトから選択された商品に対する情報を受信し、統合ショッピングカートに前記商品に対する情報を統合するステップとを含む。
【発明の効果】
【００２３】
そこで、本発明は、上記問題に鑑みてなされたものであり、本発明の目的とするところは、互いに異なる複数のサービス提供サーバを通じて提供されるオブジェクトを一つのアプリケーションを通じて管理できる統合ウィッシュリストサービスを提供するユーザ端末装置、ディスプレイ装置、サーバ及びその制御方法を提供することにある。
【図面の簡単な説明】
【００２４】
【図１】本発明の多様な実施形態にかかるネットワークシステムを説明するための図である。
【図２】本発明の多様な実施形態にかかるネットワークシステムを説明するための図である。
【図３】本発明の多様な実施形態にかかるネットワークシステムを説明するための図である。
【図４】図１に示すネットワークシステムの動作を説明するための図である。
【図５】ユーザ端末装置の構成を示すブロック図である。
【図６】ユーザ端末装置の細部構成を示すブロック図である。
【図７】ネットワークシステムの動作を説明するための図である。
【図８】ユーザ端末装置及びディスプレイ装置の構成を示すブロック図である。
【図９】ユーザ端末装置の細部構成を示すブロック図である。
【図１０】ネットワークシステムの動作を説明するための図である。
【図１１】ディスプレイ装置の構成を示すブロック図である。
【図１２】本発明の一実施形態にかかるサーバの構成を示すブロック図である。
【図１３】本発明の一実施形態にかかるユーザ端末装置のＵＩ画面を説明するための図である。
【図１４】本発明の一実施形態にかかるユーザ端末装置のＵＩ画面を説明するための図である。
【図１５】ＵＩ画面を示す図である。
【図１６】ＵＩ画面を示す図である。
【図１７】ＵＩ画面を示す図である。
【図１８】ＵＩ画面を示す図である。
【図１９】ＵＩ画面を示す図である。
【図２０】ＵＩ画面を示す図である。
【図２１】ユーザ端末装置のモードの変更に応じるＵＩ形態を示す図である。
【図２２】ユーザ端末装置のモードの変更に応じるＵＩ形態を示す図である。
【図２３】ユーザ端末装置のモードの変更に応じるＵＩ形態を示す図である。
【図２４】ユーザ端末装置のモードの変更に応じるＵＩ形態を示す図である。
【図２５】本発明の多様な実施形態にかかるＵＩ画面を示す図である。
【図２６】本発明の多様な実施形態にかかるＵＩ画面を示す図である。
【図２７】本発明の一実施形態にかかるＵＩ画面を示す図である。
【図２８】決済機能と関連したＵＩ画面を示す図である。
【図２９】本発明の一実施形態にかかるディスプレイ装置での画面表示変化状態を説明するための図である。
【図３０】本発明の一実施形態にかかるディスプレイ装置での画面表示変化状態を説明するための図である。
【図３１】本発明の多様な実施形態にかかるＵＩ画面を説明するための図である。
【図３２】本発明の多様な実施形態にかかるＵＩ画面を説明するための図である。
【図３３】本発明の多様な実施形態にかかるＵＩ画面を説明するための図である。
【図３４】本発明の多様な実施形態にかかるＵＩ画面を説明するための図である。
【図３５】本発明の多様な実施形態にかかるＵＩ画面を説明するための図である。
【図３６】本発明の多様な実施形態にかかるＵＩ画面を説明するための図である。
【図３７】本発明の一実施形態にかかる制御部の細部構成を説明するための図である。
【図３８】上述した多様な実施形態にかかる制御部の動作を支援するための格納部のソフトウェア構造を示す図である。
【図３９】本発明の一実施形態にかかるユーザ端末装置の制御方法を説明するためのフローチャートである。
【図４０】本発明の一実施形態にかかるディスプレイ装置の制御方法を説明するためのフローチャートである。
【図４１】本発明の一実施形態にかかるサーバの制御方法を説明するための図である。
【発明を実施するための形態】
【００２５】
以下、添付された図面を利用して本発明について具体的に説明する。
【００２６】
図１ないし図３は、本発明の多様な実施形態にかかるネットワークシステムを説明するための図である。
【００２７】
本発明の多様な実施形態によってネットワークシステムは、サーバ、ユーザ端末装置、ディスプレイ装置などを備えることができ、以下では、具体的に説明する。
【００２８】
＜第１の実施形態＞
【００２９】
図１に示すように、本発明の一実施形態にかかるネットワークシステムは、インターネットのようなネットワーク１０通じて接続されたユーザ端末装置１００、サーバ２００及びサービス提供サーバ２０を備えることができる。
【００３０】
ユーザ端末装置１００は、統合ウィッシュリスト機能を提供するアプリケーション（ａｐｐｌｉｃａｔｉｏｎ）を実行することにより、統合ウィッシュリストサービスの提供を受けることができる。
【００３１】
例えば、スマートフォンのような携帯電話、タブレット（ｔａｂｌｅｔ）、ＰＤＡ（Ｐｅｒｓｏｎａｌ  Ｄｉｇｉｔａｌ  Ａｓｓｉｔａｎｔ）などのようなユーザ端末装置内に格納されたクライアント統合ウィッシュリストアプリケーションの実行を通じて統合ウィッシュリストサービスを提供するサーバ２００に接続できる。
【００３２】
具体的に、ユーザ端末装置１００は、該当統合ウィッシュリストアプリケーション実行を通じてサーバ２００にログインし、サーバ２００を介して統合ウィッシュリストサービスの提供を受けることができる。場合によっては、統合ウィッシュリストアプリケーション実行及びサーバ２００ログインは、別個の動作で具現化されることができる。
【００３３】
ここで、統合ウィッシュリストとは、複数の互いに異なるサービス提供サーバから提供されるオブジェクトのうち、ユーザにより選択されたオブジェクトに対する情報を統合的に記録したリストのことを意味できる。例えば、統合ウィッシュリストは、互いに異なるショッピングサイトサーバから提供される商品のうち、ユーザにより選択された商品に対する情報をショッピングサイトサーバの同一性と関係なく一つのリストに受信して格納する形態になることができる。
【００３４】
このような本発明にかかる統合ウィッシュリストは、互いに異なるショッピングサイトから提供する商品に対する情報を一つのリストに記録するという点で従来の互いに異なるショッピングサイトの各々が該当ショッピングサイトから提供される商品に対する情報だけを個別的なリストに記録するウィッシュリストと差がある。
【００３５】
サービス提供サーバ２０は、電子商取引サーバになることができる。例えば、多様な類型のオンラインショッピングサイトを運営するウェブサーバで具現化されることができるが、これに限定されるものではない。以下、サービス提供サーバをショッピングサイトウェブサーバ（以下、ショッピングサイトサーバとする）と想定して説明する。
【００３６】
ショッピングサイトサーバがウェブサーバで具現化される場合、ユーザは、ユーザ端末装置１００を介してショッピングサイトサーバに接続できる。例えば、ユーザは、ウェブブラウザプログラムを実行させた後、各ショッピングサイトサーバに対応するＵＲＬ（Ｕｎｉｆｏｒｍ  Ｒｅｓｏｕｒｃｅ  Ｌｏｃａｔｏｒ）を入力したり、ポータルサイトなどでショッピングサイトサーバに対するリンクメニューを選択する方式でショッピングサイトサーバに接続できる。これにより、ユーザ端末装置１００では、ショッピングサイトサーバから提供するウェブページを受信してディスプレイする。
【００３７】
ユーザは、一つのショッピングサイトサーバを介して提供されるオブジェクト情報だけを統合ウィッシュリストに登録することではなく、他のショッピングサイトサーバを介して提供されるオブジェクト情報も統合ウィッシュリストに登録できる。これにより、複数のショッピングサイトを介して提供されるオブジェクト情報を一つの統合ウィッシュリストを介して管理できるようになる。
【００３８】
ユーザのショッピング情報は、ユーザがオンラインショッピングサイトウェブページに存在するか、インターネットショッピングサイトウェブページを終了する度に、またはユーザがインターネットショッピングサイトウェブページで商品を選択する度に、統合ウィッシュリストに格納されてよい。
【００３９】
サーバ２００は、本発明の一実施形態にかかる統合ウィッシュリストサービスを提供してよい。具体的に、サーバ２００は、統合ウィッシュリストに追加されたオブジェクト（仮に、品物）に対する情報を格納および管理し、ユーザ端末装置１００からの要請に応じて統合ウィッシュリストに含まれた商品に対する情報を提供できる。サーバ２００は、ソーシャルネットワーキングサービス（Ｓｏｃｉａｌ  Ｎｅｔｗｏｒｋｉｎｇ  Ｓｅｒｖｉｃｅ、以下、ＳＮＳとする）サーバまたはクラウドコンピューティングサーバで具現化されることができる。
【００４０】
ソーシャルネットワーキングサービスとは、ユーザ間の自由な意思疎通と情報共有などを介して社会的関係を生成し強化させるオンラインプラットフォームのことを意味する。サーバ２００がＳＮＳサーバで具現化された場合、サーバ２００は、統合ウィッシュリストに記録されたオブジェクトに対して、互いにソーシャルネットワーク関係を結んでいる関連ユーザから発生するショッピングイベントまたは商品に関するお知らせメッセージまたは評価情報などを送受信することができる。例えば、ユーザＡとユーザＢとが友人関係として登録されている場合、ユーザＡが「ａ」商品をユーザＡの統合ウィッシュリストに追加した場合、ユーザＢは、ユーザＡの統合ウィッシュリストを用いて、「ａ」という商品に対する評価情報を要請し、ユーザＢの統合ウィッシュリストに「ａ」という商品を追加することができる。
【００４１】
クラウドコンピューティングサーバ（ｃｌｏｕｄ  ｃｏｍｐｕｔｉｎｇ  Ｓｅｒｖｅｒ）は、クラウド基盤のコンピューティング（ｃｏｍｐｕｔｉｎｇ）技術を利用するサーバとして、例えば、インターネット上のサーバにプログラムを格納し、コンピュータや携帯電話などで当該プログラムを実行するウェブに基盤したソフトウェアサービスである。サーバ２００がクラウドサーバで具現化された場合、サーバ２００は、商品情報およびお支払いサービスのような付加的なサービスを提供するように、具現化されることができる。
【００４２】
また、サーバ２００は、外部サーバまたはユーザ端末装置１００内に備えられる埋め込みサーバ（ｅｍｂｅｄｄｅｄ  ｓｅｒｖｅｒ）で具現化されることができる。
【００４３】
上述した実施形態では、ショッピングサイトウェブサーバからウェブページを受信してユーザ端末装置１００にディスプレイすると説明したが、ウェブページ形態でないショッピングサイトサーバで実行されたアプリケーションを介して提供するページ形態商品情報を提供されることも可能である。
【００４４】
＜第２の実施形態＞
【００４５】
図２に示すように、本発明の他の実施形態にかかるネットワークシステムは、サーバ２００、ユーザ端末装置３００及びディスプレイ装置４００を備えることができる。
【００４６】
ユーザ端末装置３００は、ユーザ端末装置１００と同様に、統合ウィッシュリストアプリケーションを実行することにより統合ウィッシュリストサービスを提供できるが、統合ウィッシュリストに追加されるオブジェクトは、ディスプレイ装置４００を介して選択されることができる。
【００４７】
具体的に、ディスプレイ装置４００は、ユーザ端末装置３００と同期化され（ｓｙｎｃｈｒｏｎｉｚｅ）、統合ウィッシュリストを受信することができる。
【００４８】
例えば、ユーザ端末装置３００と同期化したディスプレイ装置４００でディスプレイされたショッピングサイトウェブページを介してオブジェクトが選択されると、選択されたオブジェクトに対する情報がユーザ端末装置３００に格納された統合ウィッシュリストアプリケーションに格納される。例えば、ショッピングサイトウェブページを介して「ａ」という商品が選択され、商品選択信号がディスプレイ装置４００からユーザ端末装置３００に受信されると、ユーザ端末装置３００は、「ａ」商品に対する商品コード及びその他の情報をサービス提供サーバ２０、例えば、ショッピングサイトサーバに要請できる。この場合、ショッピングサイトサーバから「ａ」商品に対する商品コード及びその他のオプション情報を受信してサーバ２００に格納することができる。
【００４９】
ユーザ端末装置３００及びディスプレイ装置４００は、ＢＴ（ＢｌｕｅＴｏｏｔｈ（登録商標））、ｗｉｆｉ、ＰＡＮ、ＬＡＮ、ＷＡＮ、Ｗｉｒｅｄ  Ｉ／Ｏ、ＮＦＣ  Ｉｎｔｅｒｆａｃｅ、ＲＦＩＤ  Ｔａｇ、ＩＲ  Ｉｎｔｅｒｆａｃｅ、ＵＳＢ（Ｕｎｉｖｅｒｓａｌ  Ｓｅｒｉａｌ  Ｂｕｓ）などの多様な通信方式により同期化できる。例えば、ユーザ端末装置３００で統合ウィッシュリストアプリケーションが実行されると、ＤＬＮＡ（Ｄｉｇｉｔａｌ  Ｌｉｖｉｎｇ  Ｎｅｔｗｏｒｋ  Ａｌｌｉａｎｃｅ）技術を介して周辺機器を探索し、探索された機器のうち、同期化する機器が選択されると、ペアリングを行うことができる。この他にもＢＴ、ＮＦＣ  Ｉｎｔｅｒｆａｃｅなど、他の通信方式を利用してペアリングを行うことができるが、詳細な説明は省略する。
【００５０】
また、ネットワーク通信チャネル形成など他の通信方式を介してユーザ端末装置３００及びディスプレイ装置４００は同期化されてよい。
【００５１】
ユーザ端末装置３００及びディスプレイ装置４００が同期化すると、ユーザ端末装置３００は、ディスプレイ装置４００にオブジェクトを表示するように、ディスプレイ装置４００に要請することができる。表示されたオブジェクトは、ユーザに統合ウィッシュリスト機能が実行されていることを報知することができる。オブジェクトは、ウィッシュリストアイコンであってよい。それにより、ユーザがウェブページをブラウジングする場合、ウェブページ上に統合ウィッシュリスト機能がアクティブ状態であり、ユーザが統合ウィッシュリストの機能に対するアクセスが可能であることを示すオブジェクトがディスプレイされてよい。
【００５２】
＜第３の実施形態＞
【００５３】
図３に示すように、システムは、ネットワークシステムサーバ２００及びディスプレイ装置５００を備えることができる。
【００５４】
ディスプレイ装置５００は、統合ウィッシュリストサービスの提供を受けるためにサーバ２００に接続できる。ここで、ディスプレイ装置５００は、ＰＣ、デジタルＴＶ、ノートパソコンＰＣなどで具現化できる。
【００５５】
ユーザは、ディスプレイ装置５００を介してユーザ情報を入力して統合ウィッシュリストサービスの提供を受けるためのアカウントを作り、該当アカウントを介して統合ウィッシュリストサービスの提供を受けることができるようになる。ユーザは、認証情報、例えば、ユーザＩＤ及びパスワードなどを入力してサーバ２００にログインできる。または、ディスプレイ装置５００に格納されている統合ウィッシュリストアプリケーションを実行することによって、サーバ２００に自動的にログインすることも可能である。この場合、ユーザは、統合ウィッシュリストアプリケーションをディスプレイ装置５００にインストールし、統合ウィッシュリストアプリケーションを介してサーバ２００にログインしておく必要がある。
【００５６】
サーバ２００は、上述のように、同様の方法で、統合ウィッシュリストサービスと関連した多様なデータを提供してよい。
【００５７】
サーバ２００は、統合ウィッシュリストに追加されたオブジェクトに対する情報を格納して管理し、ディスプレイ装置５００からの要請に応じてオブジェクトに対する情報を提供できる。
【００５８】
例えば、サーバ２００は、ディスプレイ装置５００にディスプレイされたショッピングサイトウェブページを介して選択された商品に対する情報をサービス提供サーバ２０、例えば、ショッピングサイトサーバから受信してリスト形態で格納する。そして、ディスプレイ装置５００の要請がある場合、該当リストを提供することができる。
【００５９】
一方、図１ないし図３に示す実施形態は、一実施形態に過ぎず、上述の要素および機能が、一部または全て組み合わせられた形態で具現化されることも可能である。
【００６０】
図４は、図１に示すネットワークシステムの動作を説明するための図である。以下、説明の便宜のためにサービス提供サーバ２０がショッピングサイトウェブサーバで具現化される場合を仮定する。
【００６１】
図４によれば、ユーザ端末装置１００は、統合ウィッシュリストアプリケーションを実行する（Ｓ４０１）。統合ウィッシュリストアプリケーションは、ユーザ端末装置１００のＯＳ（Ｏｐｅｒａｔｉｎｇ  Ｓｙｓｔｅｍ）によって制御されて実行されてよい。
【００６２】
ユーザ端末装置１００は、サーバ２００にログインする（Ｓ４０２）。すなわち、ユーザ端末装置１００は、統合ウィッシュリストアプリケーションが実行されると、ユーザ認証手順を行うことができる。ただし、ユーザ端末装置１００は、統合ウィッシュリストアプリケーションを実行することなく、サーバとユーザ認証手続きを行うこともできる。
【００６３】
ユーザ端末装置１００は、ショッピングサイトサーバ２０に接続して（Ｓ４０３）、ウェブページを受信する（Ｓ４０４）。具体的に、ユーザ端末装置１００は、ウェブブラウザを介してショッピングサイトサーバに格納されたＨＴＭＬ（または、ＸＨＴＭＬ）、ＣＳＳ、ジャバスクリプト、絵、フラッシュ、動画ファイルから構成されたウェブページを受信することができる。ユーザ端末装置１００は、ＨＴＴＰプロトコルを介してウェブページを受信し、ユーザ端末装置１００のディスプレイ上にウェブページをディスプレイすることができる。
【００６４】
一方、アプリケーションを実行してサーバ２００にログインするステップＳ４０１、Ｓ４０２とショッピングサイトサーバに接続してウェブページを受信するステップＳ４０３、Ｓ４０４の順序は変更されうることはもちろんである。
【００６５】
ユーザ端末装置１００は、統合ウィッシュリスト機能がアクティブされていることを表すオブジェクトをディスプレイ上にディスプレイしてよい。ここで、オブジェクトは、仮に、ウィッシュリストアイコンとして、受信されたウェブページ上にディスプレイされてよい（Ｓ４０５）。この場合、スマートフォン、タブレットＰＣなどのようにタッチ操作を入力方式として採用するＯＳシステムにおいて、ウィッシュリストアイコンは、ウェブページと異なるレイヤーにディスプレイされたり、ユーザがウェブページを操作するディスプレイの同じ領域に位置してよい。
【００６６】
ただし、ＰＣのようにカーソルを入力方式として採用するシステムにおいて、ウィッシュリストアイコンは、ウェブページと異なるレイヤーにディスプレイされてカーソル表示位置の周辺に表示されるか、カーソルの位置をトラッキングするように表示されてよい。例えば、ウィッシュリストは、カーソルの移動位置および方向に基づいて、ディスプレイされてカーソルをトラッキングすることができる。
【００６７】
または、カーソルと別途のウィッシュリストアイコンをディスプレイせずに、統合ウィッシュリストの実現のために、カーソルの模様そのものが変更されてよい。例えば、統合ウィッシュリストに追加される商品を選択するために、矢印形態のカーソルやショッピングカート形態に変更されてよい。
【００６８】
これについての詳細な説明は、図を参照して後述する。
【００６９】
ユーザ端末装置１００は、ウェブページ上においてアイテムが選択される（Ｓ４０６）と、選択されたアイテムに対する情報をショッピングサイトサーバ２０に要請する（Ｓ４０７）。この場合、ショッピングサイトサーバ２０は、ユーザにより要請されたアイテムに対する情報を格納することができる。これにより、後にショッピングサイトサーバ２０は、格納されたアイテムに対する情報が変更された場合、商品に対して変更された情報をユーザ端末装置１００に通知できるようになる。また、ショッピングサイトサーバ２０は、ショッピングサイトサーバ２０に対したユーザ認証情報およびユーザ認証情報に関連するアイテムに対する情報を格納することができる。
【００７０】
サーバ２００は、ユーザ端末装置１００の制御に応じてショッピングサイトサーバ２０から選択されたオブジェクトに対する情報を受信して格納する（Ｓ４０８）。すなわち、ユーザ端末装置１００は、統合ウィッシュリストに商品を追加し、ショッピングサイトサーバ２０に統合ウィッシュリストに追加したアイテムに対する情報をサーバ２００に格納し、統合ウィッシュリストに格納された情報を管理できる。サーバ２００は、該当ショッピングサイトサーバ２０から提供する商品に対する情報を受信して格納することもできる。ただ、サーバ２００は、ユーザが選択した情報だけを受信して管理できる。例えば、ユーザがウェブページ上において商品のイメージと価格だけを選択した場合、サーバ２００は商品に対する全ての商品情報の代わりに、該当情報だけを受信して管理することもできる。なお、サーバ２００上に統合ウィッシュリストの商品情報を格納する代わりに、ユーザ端末装置１００に設けられたメモリ（図示せず）に統合ウィッシュリストの商品情報を格納することもできる。
【００７１】
以後、ユーザ端末装置１００は、ユーザ命令に応じて統合ウィッシュリストに登録されたアイテム情報をサーバ２００に要請し（Ｓ４０９）、要請した情報を受信してディスプレイできる（Ｓ４１１）。例えば、ユーザ端末装置１００で統合ウィッシュリストアプリケーションが実行されるか、または、統合ウィッシュリストを見ろとの命令が受信されると、ユーザ端末装置１００は、サーバ２００に統合ウィッシュリストを要請するか、メモリ（図示せず）に格納された情報を用いて統合ウィッシュリストに格納された商品をディスプレイすることができる。ディスプレイされた統合ウィッシュリストは、商品が選択された順番または商品タイプ等に応じて、統合ウィッシュリストの商品がリスト形式でディスプレイされてよい。なお、場合によっては、統合ウィッシュリストに入れた商品を検索するための検索ＵＩを提供することもできる。
【００７２】
その他に、各ステップにて行われる詳細な動作は、後述するブロック図を参考にして説明する。
【００７３】
図５は、図４に示すユーザ端末装置１００の構成を示すブロック図である。
【００７４】
図５によれば、ユーザ端末装置１００は、通信部１１０、ディスプレイ部１２０、格納部１３０及び制御部１４０を備える。
【００７５】
ユーザ端末装置１００は、スマートフォンのような携帯電話、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、タブレット（ｔａｂｌｅｔ）ＰＣなどで実現されてよく、サーバ２００と通信を行うことができる。
【００７６】
通信部１１０は、ネットワークを介して互いに異なる複数のサービス提供サーバと通信を行うことができる。具体的に、通信部１１０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）、ＨＴＴＰＳ（Ｈｙｐｅｒｔｅｘｔ  Ｔｒａｎｓｆｅｒ  Ｐｒｏｔｏｃｏｌ  ｏｖｅｒ Ｓｅｃｕｒｅ  Ｓｏｃｋｅｔ  Ｌａｙｅｒ）、ＳＯＡＰ（Ｓｉｍｐｌｅ  Ｏｂｊｅｃｔ  ａｃｃｅｓｓ  Ｐｒｏｔｏｃｏｌ）、ＸＭＬ−ＲＰＣ（ＸＭＬ  Ｒｅｍｏｔｅ  Ｐｒｏｃｅｄｕｒｅ  Ｃａｌｌ）などのような多様なサービスプロトコルを利用して複数のサービス提供サーバと通信を行うことができる。
【００７７】
また、通信部１１０は、ネットワークを介してサーバ２００と通信を行うことができる。
【００７８】
通信部１１０は、サーバ２００を介して統合ウィッシュリストに対する商品情報が管理されるように多様な情報を送受信する。例えば、通信部１１０は、ユーザ端末装置１００から統合ウィッシュリストに記録された情報を確認するためのユーザ命令が受信されると、統合ウィッシュリストの商品に対する商品情報を受信してディスプレイ部１２０にディスプレイできる。
【００７９】
ディスプレイ部１２０は、ユーザ端末装置２００によって生成された多様なディスプレイ画面を提供できる。
【００８０】
特に、ディスプレイ部１２０は、統合ウィッシュリスト機能が活性化されていることを表すオブジェクト、例えばウィッシュリストアイコンをディスプレイし、統合ウィッシュリストサービスによるＵＩ画面をディスプレイすることができる。詳細なＵＩ画面については、図を参照して後述する。
【００８１】
具体的に、ディスプレイ部１２０は、ショッピングサイトサーバにアクセスしてショッピングサイトウェブページがディスプレイされると、該当ウェブページ上にウィッシュリストアイコンをディスプレイできる。
【００８２】
また、ディスプレイ部１２０は、予め設定されたイベントに応じて統合ウィッシュリストに記録されたオブジェクトに対する情報を多様な形態に変更してディスプレイできる。
【００８３】
また、ディスプレイ部１２０は、統合ウィッシュリストにアップデート情報がある場合、該当アイコンにアップデートマークを付加して表示できる。
【００８４】
ここで、ディスプレイ部１２０は、タッチスクリーン形態で具現化されることができる。また、タッチスクリーンは、タッチ入力位置、タッチ入力面積、タッチ入力圧力などを検出できるように構成されることができる。
【００８５】
格納部１３０は、ユーザ端末装置１００を動作させるために必要な各種のプログラムなどが格納される格納媒体である。格納部１３０は、ＨＤＤ（Ｈａｒｄ  Ｄｉｓｋ  Ｄｒｉｖｅ）などのようなメモリで実現されてよい。例えば、格納部１３０は、制御部１４０の動作遂行のためのプログラムを格納するためのＲＯＭ、制御部１４０の動作遂行に応じるデータを一時格納するためのＲＡＭなどを具備できる。また、格納部１３０は、各種の参照データを格納するためのＥＥＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などをさらに具備できる。
【００８６】
格納部１３０は、統合ウィッシュリストアプリケーションを格納することができ、場合によっては、統合ウィッシュリストサービスと関連した一部情報を格納することができる。
【００８７】
統合ウィッシュリストサービスと関連した情報は、サーバ２００を介して格納及び管理されうるが、該当アプリケーションを介して頻繁に利用される情報などは、格納部１３０に格納されて管理されることができる。例えば、該当アプリケーションと関連したＵＩレイアウト情報、統合ウィッシュリストを介して頻繁に記録される商品情報などは、格納部１３０を介して管理されることができる。
【００８８】
ユーザ端末装置１００は、統合ウィッシュリストアプリケーションをネットワーク、外部メモリ（図示せず）、内部メモリ（図示せず）から受信することができる。内部メモリ（図示せず）は、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）のようなコンピュータメモリなどを含むことができるが、これに限定されない。同様に、外部メモリ（図示せず）は、ＨＤＤ、ＣＤ（Ｃｏｍｐａｃｔ  Ｄｉｓｃ）ＲＯＭ、メモリカード、ＵＳＢフラッシュドライブなどを含むことができるが、これに限定されない。
【００８９】
制御部１４０は、ユーザ端末装置１００の全般的な動作を制御する。制御部１４０の機能については、説明の便宜のために動作を分けて説明する。また、説明の便宜上、サービス提供サーバは、ショッピングサイトサーバとして、統合ウィッシュリストに含まれたオブジェクトは、商品と想定して説明する。
【００９０】
ユーザ端末装置１００は、統合ウィッシュリストアプリケーションを実行してサーバ２００にログインできる。ただし、場合によっては、アプリケーションがサーバ２００にログインされていない場合には、別途のログイン手順が要求される場合もある。
【００９１】
以下、説明の便宜のためにアプリケーションが実行される場合をサーバ２００にログインする場合と同一視して説明する。
【００９２】
制御部１４０は、アプリケーションの実行状態に応じてユーザ端末装置１００の多様な動作を制御できる。
【００９３】
制御部１４０は、アプリケーションが実行された状態でショッピングサイトサーバに接続してショッピングサイトウェブページがディスプレイされる場合には、ショッピングサイトウェブページにウィッシュリストアイコンをディスプレイするように制御できる。
【００９４】
これに対し、ショッピングサイトウェブページがディスプレイされた状態で該当アプリケーションが実行される場合には、アプリケーション実行画面からウェブページに画面転換時にまたはウェブページに対する更新を介してウィッシュリストアイコンをディスプレイできる。
【００９５】
一方、制御部１４０は、ウィッシュリストアイコンを多様な形態でディスプレイするように制御してよい。
【００９６】
例えば、制御部１４０は、画面上に予め設定された透明度を有するウィッシュリストアイコンがショッピングサイトウェブページ上にオーバーレイされるようにディスプレイできる。
【００９７】
また、制御部１４０は、ユーザのタッチ操作によってタッチが入力されたスクリーン領域の一側に不透明状態のウィッシュリストアイコンをディスプレイできる。すなわち、制御部１４０は、ウィッシュリストアイコンがユーザのタッチ操作をトラッキングしてディスプレイされるように制御できる。
【００９８】
または、制御部１４０は、画面上の予め設定された領域（例えば、右側下部の隅領域）にウィッシュリストアイコンをディスプレイできる。
【００９９】
・統合ウィッシュリストに商品登録すること
【０１００】
制御部１４０は、商品イメージまたは商品情報に対応するウィッシュリストアイコンに対する予め設定された操作がある場合に、該当商品に対する情報を統合ウィッシュリストに追加できる。この場合、商品情報は、代表商品イメージ、商品のイメージ、商品のサムネイルイメージ、商品名テキスト、商品価格テキスト、商品広告、商品プレビューなどの多様な情報を含むことができる。商品のイメージを格納する場合、代表イメージは格納されていなくてよい。なお、サムネールイメージを格納する場合、詳細な商品イメージは格納されていなくてよい。なお、使用可能なクーポン、配送料または最終的な支払い価格に対する情報などを含む価格情報が格納されてよい。
【０１０１】
また、商品情報は、商品の種類によって変わることもできる。例えば、一般ショッピングサイトの場合に、商品モール名、商品名、価格、クーポンなどがありえ、メディアコンテンツショッピングサイトの場合に、音楽コンテンツの場合に商品モール名、歌手名、曲名、アルバム情報、価格などがありえ、映像コンテンツの場合に商品モール名、タイトル、放送社、放送日、価格などがありえる。
【０１０２】
なお、商品情報は、当該商品を取り扱うオフライン売り場に対する情報も含むことができる。例えば、オフライン売り場の位置、ストーア（ｓｔｏｒｅ）名、該当ストーアでの価格情報、商品名などがこれに該当することができる。
【０１０３】
制御部１４０は、商品イメージまたは商品情報上にディスプレイされたウィッシュリストアイコンに対するタッチ操作がある場合、または、商品イメージまたは商品情報で予め設定された領域にディスプレイされたウィッシュリストアイコンに対するタッチアンドドラッグ操作がある場合、該当商品を統合ウィッシュリストに追加できる。
【０１０４】
例えば、制御部１４０は、ショッピングサイトウェブページの特定領域に対するｔｏｕｃｈ＆ｈｏｌｄ操作がある場合に、ウィッシュリストアイコンの模様及び色相のうち、少なくとも一つを変更し、変更された状態でスワイプ（ｓｗｉｐｅ）動作がある場合に、統合ウィッシュリストに該当商品を追加できる。
【０１０５】
制御部１４０は、該当ショッピングサイトサーバから提供する商品に対する情報をサーバ２００がそのまま受信して格納及び管理するようにすることができる。
【０１０６】
制御部１４０は、ユーザが選択した情報だけをユーザ端末装置１００から受信して管理できる。例えば、ユーザがウェブページ上において商品のイメージと価格だけを選択した場合、該当情報だけをユーザ端末装置１００が受信して管理することもできる。
【０１０７】
また、制御部１４０は、オフライン売り場などでＮＦＣ、ＲＦＩＤ技術を介して商品情報を受信する場合、受信された情報をサーバ２００に送信して統合ウィッシュリストに登録されるようにすることができる。
【０１０８】
制御部１４０は、統合ウィッシュリストに記録された情報に応じてウィッシュリストアイコンの形態を変更して表示できる。
【０１０９】
具体的に、制御部１４０は、統合ウィッシュリストに入れたオブジェクトの個数、オブジェクトのアップデート状態などが反映されるように、ウィッシュリストアイコンの形態（例えば、色相、透明度、アウトライン）を変更できる。
【０１１０】
例えば、オブジェクトの個数、アップデートオブジェクトの個数などをアイコンの一側にマーク形態でディスプレイするか、又はオブジェクトが積まれる形態で表示できる。または、オブジェクト個数の増加に伴なって透明度を減少させるか、又は濃い色相に変更する形態でディスプレイすることもできる。
【０１１１】
また、制御部１４０は、画面上でのユーザ操作状態にウィッシュリストアイコンの形態を変更して表示することもできる。
【０１１２】
具体的に、制御部１４０は、タッチアンドホールド操作、ドラッグ操作などのユーザ操作に応じて、ウィッシュリストアイコンの色相、透明度、アウトラインなどを変更して表示できる。
【０１１３】
一方、制御部１４０は、該当アプリケーションの実行が終了すると、自動的に画面からウィッシュリストアイコンが消えるようにすることができる。
【０１１４】
または、制御部１４０は、ショッピングサイトウェブページ画面が終了し、新しいウェブページ画面がディスプレイされる場合にウィッシュリストアイコンが消えるようにすることができる。
【０１１５】
また、制御部１４０は、ウィッシュリストアイコンの表示後に予め設定された時間の間に該当アイコンに対するユーザ操作がない場合、ウィッシュリストアイコンが消えるようにすることができる。
【０１１６】
制御部１４０は、該当アプリケーションが実行状態に応じてＵＩ画面を多様な形態で再構成してディスプレイできる。
【０１１７】
具体的に、制御部１４０は、統合ウィッシュリストビュー命令がある場合、統合ウィッシュリストに格納されたオブジェクトをユーザにディスプレイできる。
【０１１８】
例えば、制御部１４０は、統合ウィッシュリストに入れたオブジェクトをオブジェクトが含んだ順序に応じて累積するリスト形態で提供できる。
【０１１９】
または、制御部１４０は、統合ウィッシュリストに入れたオブジェクトを商品タイプによって区分されたリスト形態で提供できる。
【０１２０】
または、制御部１４０は、統合ウィッシュリストに入れた同一のオブジェクトを提供する複数のショッピングサイトサーバの情報をリスト形態で提供できる。これにより、ユーザは、複数のショッピングサイトで利用可能な同じ商品に対する情報を比較することができる。例えば、ユーザは、互いに異なるウェブサイトで利用可能な商品の価格を比較することができる。
【０１２１】
また、制御部１４０は、統合ウィッシュリストに入れたオブジェクトを検索するための検索ＵＩを提供できる。
【０１２２】
制御部１４０は、統合ウィッシュリストに含まれたオブジェクトに対するアップデート情報がサーバ２００またはサービス提供サーバ２０から受信される場合、サウンド、振動（ハプティック）、メッセージＵＩを出力するか、ポップアップウィンドウをディスプレイすることができる。
【０１２３】
または、制御部１４０は、統合ウィッシュリストの前の方にアップデート商品を配置したり、統合ウィッシュリスト上でアップデートオブジェクトに対する情報をハイライトしたり、ウィッシュリストアイコンの形態を変更してアップデートが行われたことを示すことができる。
【０１２４】
または、サーバ２００がＳＮＳサーバで具現化される場合、ＳＮＳページでメッセージをディスプレイすることができる。
【０１２５】
制御部１４０は、ユーザ命令に応じて統合ウィッシュリストアプリケーションの実行を終了させることによって、統合ウィッシュリストサービスを終了できる。
【０１２６】
すなわち、ユーザは、統合ウィッシュリストアプリケーションを手動で終了して統合ウィッシュリストサービスを終了させることができるが、予め設定されたイベント発生時に、統合ウィッシュリストアプリケーションが自動的に終了することも可能である。
【０１２７】
例えば、制御部１４０は、ユーザが他のアプリケーションを実行したり、ユーザが、ショッピングサイトウェブページでない他のウェブページを予め設定された時間に接続する場合、統合ウィッシュリストアプリケーションを自動的に終了させることができる。
【０１２８】
図６は、図５に示すユーザ端末装置の細部構成を示すブロック図である。
【０１２９】
図６によれば、ユーザ端末装置１００´は、図５に示す構成要素の他にユーザインタフェース部１５０、ＵＩ処理部１６０、アプリケーション駆動部１７０及び撮像部１８０をさらに備えることができる。図６に示す構成要素のうち、図５に示す構成要素と重なる構成要素は、その機能が同一なので詳細な説明を省略する。
【０１３０】
ユーザインタフェース部１５０は、ユーザ命令を受け取って制御部１４０に伝達するための入力手段であって、入力パネルで具現化されることができる。ここで、入力パネルは、タッチパッド（Ｔｏｕｃｈ  Ｐａｄ）あるいは各種のファンクションキー、数字キー、特殊キー、文字キーなどを備えたキーパッド（Ｋｅｙ  Ｐａｄ）またはタッチスクリーン（Ｔｏｕｃｈ  Ｓｃｒｅｅｎ）でなされることができる。
【０１３１】
具体的に、ユーザインタフェース部１５０は、統合ウィッシュリストサービスを制御するための多様なユーザ命令を受け取ることができる。例えば、統合ウィッシュリストアプリケーションを実行または終了するためのユーザ命令、統合ウィッシュリストサービスと関連した多様なＵＩ画面を操作するためのユーザ命令を受け取ることができる。
【０１３２】
ＵＩ処理部１６０は、多様な形態のＧＵＩを生成できる。
【０１３３】
また、ＵＩ処理部１６０は、多様なＵＩ画面を２Ｄまたは３Ｄ形態で生成する。ここで、ＵＩ画面は、統合ウィッシュリストアプリケーションの実行と関連した画面になることができる。なお、ＵＩ画面は、メニュー画面、メッセージ画面などのような画面であってよい。
【０１３４】
また、ＵＩ処理部１６０は、ＵＩ要素の２Ｄ／３Ｄ転換、透明度、色相、大きさ、形態及び位置調整、ハイライト、アニメーションなどの作業を行うことができる。
【０１３５】
例えば、ＵＩ処理部１６０は、画面上にディスプレイされるウィッシュリストアイコンを、多様な形態でディスプレイすることができる。
【０１３６】
アプリケーション駆動部１７０は、ユーザ端末装置１００´提供されるアプリケーションを実行する。ここで、アプリケーションとは、多様なマルチメディアコンテンツを再生するためのマルチメディアアプリケーションであってよい。ここで、再生するためのマルチメディアアプリケーションであってよい。ここで、「マルチメディアコンテンツ」という用語は、テキスト、オーディオ、静止画、アニメーション、ビデオ、及びインターアクティブ（Ｉｎｔｅｒａｃｔｉｖｉｔｙ）コンテンツ、コンテンツ提供者（Ｃｏｎｔｅｎｔ  Ｐｒｏｖｉｄｅｒ）からのＥＰＧ（Ｅｌｅｃｔｒｏｎｉｃ  Ｐｒｏｇｒａｍ  Ｇｕｉｄｅ）コンテンツ、ユーザから受信された電子メッセージ、現在イベントに関する情報などを含むが、これに限定されない。
【０１３７】
撮像部１８０は、カメラを含む撮像機能を行うことができる。
【０１３８】
撮像部１８０は、一般カメラで具現化されることができるが、場合によってデプス（Ｄｅｐｔｈ）カメラ及びカラー（Ｃｏｌｏｒ）カメラのうち、少なくとも一つを含む形態で実現されてよい。
【０１３９】
場合によって、撮像部１８０は、ユーザモーションを認識したり、ユーザ認知機能を行うことができる。例えば、撮像部１８０は、統合ウィッシュリストを実行するためのユーザモーションを認識し、統合ウィッシュリスト実行するための機能を制御部１４０に伝達できる。
【０１４０】
その他に、ユーザ端末装置１００´は、放送局または衛星から有線または無線で受信される２Ｄまたは３Ｄ映像信号を受信して復調する映像受信部（図示せず）、映像受信部（図示せず）に受信された２Ｄ映像または３Ｄ映像に対してビデオデコード、フォーマット分析、ビデオスケーリングなどの信号処理及びＧＵＩ（Ｇｒａｐｈｉｃ  Ｕｓｅｒ  Ｉｎｔｅｒｆａｃｅ）付加などの作業を行う映像処理部（図示せず）などをさらに備えることができる。
【０１４１】
図７は、図２に示すネットワークシステムの動作を説明するための図である。以下、説明の便宜のためにサービス提供サーバがショッピングサイトウェブサーバで具現化される場合を仮定する。
【０１４２】
図７によれば、ユーザ端末装置３００は、統合ウィッシュリストアプリケーションを実行する（Ｓ７０２１）。この場合、ユーザ端末装置３００は、自動的にサーバ２００にログインする（Ｓ７０２）。ただし、アプリケーションがサーバ２００に自動でログインしない場合、別途のログイン手順が要求されることもできる。
【０１４３】
また、統合ウィッシュリストアプリケーション実行によってユーザ端末装置３００及びディスプレイ装置４００は、同期化状態されてよい（Ｓ７０３）。例えば、ユーザ端末装置３００で統合ウィッシュリストアプリケーションが駆動されると、ユーザ端末装置３００は、ＤＬＮＡ（Ｄｉｇｉｔａｌ  Ｌｉｖｉｎｇ  Ｎｅｔｗｏｒｋ  Ａｌｌｉａｎｃｅ）技術を介して周辺機器を探索し、探索された機器のうち、接続した機器が選択されると、ペアリングを行って同期化した状態になることができる。この場合、ユーザ端末装置３００は、周辺に探索された機器のうち、同期化する機器を選択するためのＵＩ画面を提供できる。
【０１４４】
次に、ディスプレイ装置４００は、ショッピングサイトサーバ２０に接続して（Ｓ７０４）、ウェブページを受信する（Ｓ７０５）。ここで、図７に示すようなステップＳ７０１ないしＳ７０５の順は入れ替わってよい。
【０１４５】
次に、ディスプレイ装置４００は、統合ウィッシュリスト機能がアクティブされたことを示すオブジェクトをウェブページ上にディスプレイする（Ｓ７０７）。例えば、ウィッシュリスアイコン（Ｓ７０６）がディスプレイされてよい。この場合、ウィッシュリストアイコンは、画面上に表示されたカーソルの位置をトラッキングしたり、カーソルの模様を変更する形態でディスプレイできる。
【０１４６】
ディスプレイ装置４００は、ウェブページ上においてアイテムが選択されると、（Ｓ７０７）、選択されたアイテムを統合ウィッシュリストに追加することをユーザ端末装置３００に要請する（Ｓ７０８）。この場合、ユーザ端末装置３００は、選択されたアイテムに対する情報をショッピングサイトサーバ２０に要請する（Ｓ７０９）。
【０１４７】
サーバ２００は、ユーザ端末装置３００の制御に応じてショッピングサイトサーバ２０から選択されたオブジェクトに対する情報を受信して格納する（Ｓ７１１）。
【０１４８】
以後、ユーザ端末装置３００は、ユーザ命令に応じて統合ウィッシュリストに登録されたアイテム情報をサーバ２００に要請し（Ｓ７１２）、要請した情報を受信してディスプレイできる（Ｓ７１３）。
【０１４９】
その他、各ステップで行われる詳細な動作は、後述するブロック図を参考にして説明する。
【０１５０】
図８は、図７に示すユーザ端末装置３００及びディスプレイ装置４００の構成を示すブロック図である。
【０１５１】
図８（ａ）によれば、ユーザ端末装置３００は、第１通信部３１０、第２通信部３２０、ディスプレイ部３３０、格納部３４０、及び制御部３５０を備える。図７において説明したような構成要素に対する詳細な説明は、省略する。
【０１５２】
第１通信部３１０は、ネットワークを介して複数のサービス提供サーバ及びサーバ２００と通信を行う。第１通信部３１０の機能は、図７に開示された通信部１１０の機能と同一なので詳細な説明を省略する。
【０１５３】
第２通信部３２０は、外部ディスプレイ装置４００と通信を行う。ここで、ディスプレイ装置４００は、ユーザ端末装置３００で実行される統合ウィッシュリストアプリケーションの実行状態に応じて、ショッピングサイトウェブページ画面にウィッシュリストアイコンをディスプレイできる。
【０１５４】
具体的に、第２通信部３２０は、ディスプレイ装置４００にディスプレイされたウィッシュリストアイコンを介して特定オブジェクトが選択されると、該当選択情報を受信することができる。この場合、ユーザ端末装置３００では、受信されたオブジェクトに対する情報を第１の実施形態と同様にサーバ２００を介して管理できるようになる。
【０１５５】
第２通信部３２０は、ディスプレイ装置４００との通信のために、ＮＦＣ（Ｎｅａｒ  Ｆｉｅｌｄ  Ｃｏｍｍｕｎｉｃａｔｉｏｎ）、ＢＴ（ＢｌｕｅＴｏｏｔｈ（登録商標））、インターネット、ＬＡＮ、ＷＩ−ＦＩ（Ｗｉｒｅｌｅｓｓ  Ｆｉｄｅｌｉｔｙ）、イーサネット（登録商標）、ＴＣＰ／ＩＰ、ＩＰＸ、ファイアーワイヤー、ＩＥＥＥ１３９４、ｉＬｉｎｋ、ＣＤＭＡ、ＴＤＭＡ、ＨＤＭＩ（登録商標）−ＣＥＣ（Ｈｉｇｈ  Ｄｅｆｉｎｉｔｉｏｎ  Ｍｕｌｔｉｍｅｄｉａ  Ｉｎｔｅｒｆａｃｅ）、Ｗｉｒｅｌｅｓｓ  ＨＤＭＩ（登録商標）−ＣＥＣ、ＲＦ（Ｒａｄｉｏ  Ｆｒｅｑｕｅｎｃｙ）、ＲＦＩＤ  Ｔａｇなどの通信方式を利用できる。
【０１５６】
ディスプレイ部３３０は、統合ウィッシュリストアプリケーションの実行状態に応じて多様なディスプレイ画面を提供できる。
【０１５７】
具体的に、ディスプレイ部３３０は、統合ウィッシュリストアプリケーション実行状態に応じて統合ウィッシュリストサービスを介して提供される多様な情報及びＵＩ画面をディスプレイすることができる。詳細なＵＩ画面については、図面を参照して後述する。
【０１５８】
格納部３４０は、ユーザ端末装置３００を動作させるために必要な各種のプログラムなどが格納される格納媒体で実現されてよい。ここで、格納部３４０に格納される情報は、図７に示す実施形態で格納部１３０に格納される情報と同一なので、これについての詳細な説明を省略する。
【０１５９】
制御部３５０は、ユーザ端末装置３００の全般的な動作を制御する。制御部３５０の機能については、説明の便宜のために動作を分けて説明する。また、図７に示す制御部１４０の機能と重複する部分については詳細な説明を省略する。
【０１６０】
制御部３５０は、統合ウィッシュリストアプリケーションの実行状態に応じてユーザ端末装置３００がディスプレイ装置４００と同期化するように制御できる。
【０１６１】
例えば、統合ウィッシュリストアプリケーションが実行されてディスプレイ装置４００との同期化のためのメニューが選択されると、第２通信部３２０を介してディスプレイ装置４００と通信を行うことができる。場合によっては、メニュー選択無しでアプリケーション実行だけで、ＮＦＣタギングを介して自動的にディスプレイ装置４００と同期化するようにすることができる。ユーザ端末装置３００とディスプレイ装置４００の間の同期化動作は、上述のように、ペアリング動作を含んでよい。
【０１６２】
制御部３５０は、統合ウィッシュリストアプリケーションの実行状態に応じてＵＩ画面を構成してディスプレイできる。
【０１６３】
具体的に、制御部３５０は、統合ウィッシュリストビュー命令がある場合、統合ウィッシュリストに格納されたオブジェクトをユーザにディスプレイできる。
【０１６４】
例えば、制御部３５０は、統合ウィッシュリストに入れたオブジェクトの順番に応じて、統合ウィッシュリストに含まれたオブジェクトをリスト形態で提供できる。
【０１６５】
または、制御部３５０は、統合ウィッシュリストに入れたオブジェクトを商品タイプによってリスト形態で提供できる。
【０１６６】
または、制御部３５０は、統合ウィッシュリストに入れた同一のオブジェクトを提供する複数のショッピングサイトサーバに対する情報をリスト形態で提供して、ユーザが同じオブジェクトに対する複数のショッピングサイトの情報を比較してみることができるようにすることができる。
【０１６７】
制御部３５０は、統合ウィッシュリストに入れたオブジェクトを検索するための検索ＵＩを提供することもできる。
【０１６８】
制御部３５０は、ユーザ命令に応じて統合ウィッシュリストアプリケーションの実行を終了させたり、予め設定されたイベント発生時に統合ウィッシュリストアプリケーションを自動的に終了させることができる。
【０１６９】
または、制御部３５０は、ディスプレイ装置４００から発生するイベントに応じて統合ウィッシリストアプリケーション実行を自動的に終了させることができる。例えば、ディスプレイ装置４００から該当サービスに対する終了要請を受ける場合、ディスプレイ装置４００から予め設定された時間以上イベントが受信されない場合、ディスプレイ装置４００が電源待機状態になった場合、ディスプレイ装置４００の電源がオフになる場合などがこれに該当することができる。
【０１７０】
図８（ｂ）によれば、ディスプレイ装置４００は、第１通信部４１０、第２通信部４２０、ディスプレイ部４３０、格納部４４０、ユーザインターフェース部４５０、ＵＩ処理部４６０および制御部４７０を備える。
【０１７１】
ここで、ディスプレイ装置４００は、ＰＣ、デジタルＴＶ、ノートパソコンなどで具現化されることができる。
【０１７２】
第１通信部４１０は、ネットワークを介してサービス提供サーバと通信を行う。また、場合によって第１通信部４１０は、統合ウィッシュリストサービスを提供するサーバ２００と直接通信を行うことも可能である。
【０１７３】
第２通信部４２０は、外部ユーザ端末装置３００と通信を行う。
【０１７４】
具体的に、第２通信部４２０は、ユーザ端末装置３００での統合ウィッシュリストアプリケーション実行状態に応じてディスプレイ画面上にウィッシュリストアイコンをディスプレイするための信号を受信することができる。
【０１７５】
なお、第２通信部４２０は、ディスプレイ部４３０にディスプレイされたウィッシュリストアイコンを介して特定オブジェクトが選択されると、該当選択情報をユーザ端末装置３００に送信できる。この場合、ユーザ端末装置３００では、受信されたオブジェクトに対する情報を上述と同様にサーバ２００を介して管理できるようになる。
【０１７６】
ディスプレイ部４３０は、ユーザ端末装置３００での統合ウィッシュリストアプリケーションの実行状態に応じて多様なディスプレイ画面を提供できる。
【０１７７】
特に、ディスプレイ部４３０は、ディスプレイされたショッピングサイトページ上にウィッシュリストアイコンをディスプレイできる。
【０１７８】
また、ディスプレイ部４３０は、統合ウィッシュリストアプリケーション実行状態に応じて統合ウィッシュリストサービスを介して提供される多様な情報及びＵＩ画面をディスプレイすることもできる。
【０１７９】
ここで、ディスプレイ部４３０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ ｔｒａｎｓｉｓｔｏｒ−ｌｉｑｕｉｄ  ｃｒｙｓｔａｌ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ ｄｉｓｐｌａｙ）、３次元ディスプレイ（３Ｄ  ｄｉｓｐｌａｙ）のうち、少なくとも一つで具現化されることができる。
【０１８０】
格納部４４０は、統合ウィッシュリストサービスと関連した多様な情報を格納することができる。
【０１８１】
例えば、格納部４４０は、統合ウィッシュリストサービスと関連して提供されるウィッシュリストアイコンの形態、多様なＵＩレイアウト情報などを格納することができる。
【０１８２】
場合によって格納部４４０は、統合ウィッシュリストに頻繁に記録されるオブジェクト等のカテゴリー情報及び関連ショッピングサイト情報、統合ウィッシュリストに記録されたオブジェクトの簡略な情報などを格納することもできる。これにより、ユーザは、簡略な情報を確認することができるようになる。
【０１８３】
また、格納部４４０は、ユーザ端末装置３００に対した情報を格納することができる。これにより、ディスプレイ装置４００は、ユーザ端末装置３００との通信を行うことができる。
【０１８４】
ユーザインタフェース部４５０は、ユーザ命令を受け取って制御部４７０に伝達するための入力手段であって、入力パネルで具現化されることができる。ここで、入力パネルは、各種のファンクションキー、数字キー、文字キーなどを備えたキーパッド（Key Pad）方式またはマウス形態でなされることができる。
【０１８５】
具体的に、ユーザインタフェース部４５０は、統合ウィッシュリストサービスを制御するための多様なユーザ命令を受け取ることができる。例えば、ウィッシュリストアイコンを介してオブジェクトを選択して統合ウィッシュリストに追加するユーザ命令を受け取ることができる。
【０１８６】
または、ユーザインタフェース部４５０は、ディスプレイ部４３０上に統合ウィッシュリストをディスプレイするためのユーザ命令を受け取ることができる。
【０１８７】
ＵＩ処理部４６０は、多様な形態のＧＵＩを生成できる。
【０１８８】
例えば、ＵＩ処理部４６０は、画面上にディスプレイされるウィッシュリストアイコンを多様な形態で処理したり、サーバ２００またはユーザ端末装置３００から提供された統合ウィッシュリストを多様な形態のレイアウトで処理できる。
【０１８９】
制御部４７０は、ディスプレイ装置４００の全般的な動作を制御する。制御部４７０の機能については、後述する。なお、説明の便宜のために、サービス提供サーバであるとして説明する。
【０１９０】
制御部４７０は、連動したユーザ端末装置３００でのアプリケーション実行状態に応じて統合ウィッシュリストサービスを開始できる。
【０１９１】
統合ウィッシュリストサービスが開始されると、ディスプレイ部４３０には、統合ウィッシュリストに対するメニューがディスプレイされることができる。ここで、統合ウィッシュリストに対するメニューは、ウィッシュリストアイコン、統合ウィッシュリストサービスと関連した多様なメニューになることができる。
【０１９２】
制御部４７０は、商品イメージまた、商品情報上にディスプレイされたウィッシュリストアイコンに対するユーザ操作がある場合、該当商品が統合ウィッシュリストに追加されるようにすることができる。
【０１９３】
例えば、制御部４７０は、画面上にディスプレイされたカーソルがウェブページにディスプレイされたオブジェクト上をすぎる時、ウィッシュリストアイコンの模様及び色相のうち、少なくとも一つを変更し、選択動作がある場合、統合ウィッシュリストに該当商品を追加できる。
【０１９４】
一方、制御部４７０は、該当ショッピングサイトサーバから提供する商品に対する情報がサーバ２００を介してそのまま受信されて格納及び管理されるようにすることができる。例えば、制御部４７０は、ユーザ端末装置３００に該当商品に対する簡略情報だけを送信し、ユーザ端末装置３００は、細部情報をサーバ２００に要請して受信することができる。
【０１９５】
しかしながら、場合によっては、制御部４７０は、ユーザによって選択された情報だけをディスプレイ装置４００自体で受信して管理できる。例えば、ユーザがウェブページ上において商品のイメージと価格だけを選択した場合、ディスプレイ装置４００は、商品情報だけを受信して管理することもできる。
【０１９６】
制御部４７０は、ウィッシュリストアイコンの形態を変更してディスプレイすることができる。 
【０１９７】
制御部４７０は、統合ウィッシュリストの前の部分にアップデートされた情報を有するオブジェクトを配置したり、アップデートされた情報を有する客体を統合ウィッシュリストでハイライトさせたり、別の方式で商品情報をアップデートを示すことができる。
【０１９８】
図９は、本発明の一実施形態により、図８に示すユーザ端末装置の細部構成を説明するためのブロック図である
【０１９９】
図９によれば、ユーザ端末装置３００´は、図８に示す構成要素の他にユーザインタフェース部３６０、ＵＩ処理部３７０、アプリケーション駆動部３８０及び撮像部３９０をさらに備えることができる。
【０２００】
ユーザインタフェース部３６０、ＵＩ処理部３７０、アプリケーション駆動部３８０及び撮像部３９０のは、ユーザインターフェース部１５０と、ＵＩ処理部１６０と、アプリケーション駆動部１７０および撮影部１８０と同じ機能を実行することから、具体的な説明は省略する。
【０２０１】
図１０は、図３に示すネットワークシステムの動作を説明するための図である。図１０に示す各ステップに対する説明のうち、図４、７に示す各ステップに対する説明と重複する部分については詳細な説明を省略する。
【０２０２】
図１０によれば、ディスプレイ装置５００は、サーバにログインする（Ｓ１００１）。
【０２０３】
次に、ディスプレイ装置５００は、ショッピングサイトサーバ２０に接続して（Ｓ１００２）、ウェブページを受信する（Ｓ１００３）。
【０２０４】
次に、ディスプレイ装置５００は、受信されたウェブページ上に統合ウィッシュリスト機能が活性化されていることを表すオブジェクト、例えば、ウィッシュリストアイコンをディスプレイする（Ｓ１００４）。
【０２０５】
ディスプレイ装置５００は、ウェブページ上においてアイテムが選択されると、（Ｓ１００５）、選択されたアイテムに対する情報をショッピングサイトサーバ２０に要請する（Ｓ１００６）。
【０２０６】
ディスプレイ装置５００の制御に応じて、ショッピングサイトサーバ２０は選択されたオブジェクトに対する情報をサーバ２００に伝送し、サーバ２００は受信された情報を格納する（Ｓ１００７）。
【０２０７】
以後、ディスプレイ装置５００は、ユーザ命令に応じて統合ウィッシュリストに登録されたアイテム情報をサーバ２００に要請し（Ｓ１００８）、要請した情報を受信してディスプレイできる（Ｓ１００９）。
【０２０８】
その他、各ステップで行われる詳細な動作は、後述するブロック図を参考にして説明する。
【０２０９】
図１１は、図１０に示すディスプレイ装置５００の構成を示すブロック図である。
【０２１０】
図１１によれば、ディスプレイ装置５００は、通信部５１０、ディスプレイ部５２０、格納部５３０、ユーザインタフェース部５４０、ＵＩ処理部５５０及び制御部５６０を備える。図１１に示す構成のうち、図９に示す構成と重複する機能については詳細な説明を省略する。
【０２１１】
通信部５１０は、ネットワークを介して多様なサービス提供サーバと通信を行うことができる。ここで、サービス提供サーバは、多様な類型のオンラインショッピングサイトを運営するサーバになることができる。
【０２１２】
なお、通信部５１０は、ネットワークを介してサーバ２００と通信を行うことができる。ここで、サーバ２００は、統合ウィッシュリストを管理できるＳＮＳサーバ、クラウドサーバなどの形態で具現されてよい。
【０２１３】
一方、通信部５１０は、サーバ２００を介して統合ウィッシュリストに対する情報が管理されうるように、多様な情報を送受信することができる。
【０２１４】
例えば、通信部５１０は、ユーザ認証情報を利用してサーバ２００にログインして認証されたユーザに対する統合ウィッシュリストサービスの提供を受けるようにすることができる。
【０２１５】
ディスプレイ部５２０は、ＧＵＩをディスプレイすることができる。
【０２１６】
特に、ディスプレイ部５２０は、統合ウィッシュリストサービスを提供するためのウィッシュリストアイコンをディスプレイできる。
【０２１７】
具体的に、ディスプレイ部５２０は、ショッピングサイトウェブページがディスプレイされると、該当画面上に統合ウィッシュリストに対するメニュー、例えばウィッシュリストアイコンをディスプレイできる。
【０２１８】
格納部５３０は、ディスプレイ装置５００を動作させるために必要な各種のプログラムなどが格納される格納媒体であって、メモリ、ＨＤＤ（Hard Disk Drive）などで具現可能である。
【０２１９】
特に、格納部５３０は、統合ウィッシュリストサービスと関連した一部情報を格納することができる。すなわち、統合ウィッシュリストサービスと関連した情報は、サーバ２００を介して格納及び管理されるが、該当サービスを介して頻繁に利用される情報などは、格納部５３０に格納されてよい。
【０２２０】
例えば、統合ウィッシュリストサービスと関連したＵＩレイアウト情報、統合ウィッシュリストを介して頻繁に記録される商品情報などは、格納部５３０を介して管理されることができる。
【０２２１】
ユーザインタフェース部５４０、ＵＩ処理部５５０の機能は、ユーザインタフェース部４５０、ＵＩ処理部４６０の機能と同一なので、詳細な説明を省略する。
【０２２２】
制御部５６０は、ディスプレイ装置５００の全般的な動作を制御することができる。制御部５６０の機能については、以下で詳細に説明する。なお、説明の便宜上、サービス提供サーバは、ショッピングサイトサーバと仮定する。
【０２２３】
制御部５６０は、ユーザ認証情報を利用してサーバ２００にログインすることで統合ウィッシュリストサービスを開始できる。ここで、ユーザ認証情報は、例えば、ユーザＩＤ及びパスワードなどになることができる。
【０２２４】
サーバ２００にログインするためのユーザ認証情報及びショッピングサイトにログインするためのユーザ認証情報は、互いに異なってよいが、場合によっては、一つの認証情報を利用することも可能である。制御部５６０は、サーバ２００およびショッピングサイトサーバとの認証を制御することができる。
【０２２５】
例えば、予め設定されたショッピングサイトサーバにログインしたり、サーバ２００にログインする場合、統合ウィッシュリスト認証情報が利用されてよい。
【０２２６】
ユーザがサーバ２００へのログインに成功し、統合ウィッシュリストサービスが開始されると、制御部５６０は、サーバ２００の制御に応じてディスプレイ部５２０にディスプレイされたショッピングサイトウェブページ上にウィッシュリストアイコンをディスプレイできる。
【０２２７】
制御部５６０は、ウィッシュリストアイコンを多様な形態でディスプレイできる。
【０２２８】
ユーザがサーバ２００からログアウトされると、ウィッシュリストアイコンは画面から消えてよい。
【０２２９】
または、制御部５６０は、予め設定された時間以上ウィッシュリストアイコンが活性化されない場合、該当ウェブページが予め設定された時間以上最小化状態にあるなどの場合に統合ウィッシュリストアプリケーションを終了し、ウィッシュリストアイコンが消えるようにすることができる。
【０２３０】
制御部５６０は、統合ウィッシュリストサービスで提供可能なＵＩ画面を再構成できる。
【０２３１】
具体的に、制御部５６０は、統合ウィッシュリストビュー命令がある場合、上述のように、統合ウィッシュリストに格納されたオブジェクトをディスプレイすることができる。
【０２３２】
制御部５６０は、サーバ２００からログアウトする場合、統合ウィッシュリストサービスを終了させることができる。
【０２３３】
また、制御部５６０は、予め設定された時間以上ウィッシュリストアイコンが活性化されると、自動的にサーバ２００からログアウトすることができる。
【０２３４】
図１２は、本発明の一実施形態にかかるサーバの構成を示すブロック図である。
【０２３５】
図１２によれば、サーバ２００は、通信部２１０、格納部２２０及び制御部２３０を備える。
【０２３６】
サーバ２００は、多様な形態で具現化でき、以下、説明の便宜のために図１に示す第１の実施形態を想定してサーバ２００の具現形態について説明する。しかしながら、図２及び３に示す第２及び第３の実施形態の場合にも、サーバ２００は、同じ形態で具現化されることができる。
【０２３７】
サーバ２００は、統合ウィッシュリスト情報だけを管理し、統合ウィッシュリスト情報管理を提供し、決済中継サービスを提供することができる。
【０２３８】
サーバ２００は、統合ウィッシュリストを介して管理されるオブジェクトに対する購買要請がある場合、該当オブジェクトに対応するショッピングサイトサーバの購買ページに接続し、ショッピングサイトサーバの購買ページを通じて決済を行うことができる。
【０２３９】
サーバ２００は、統合ウィッシュリストを介して管理されるオブジェクトに対する購買要請がある場合、サーバ２００の統合決済ページを通じて、該当ショッピングサイトサーバで決済がなされるように決済中継サービスを提供できる。
【０２４０】
例えば、サーバ２００は、統合ウィッシュリストを介して管理されるオブジェクトに対する購買要請がある場合、受信された決済可能情報を該当サービス提供サーバに送信することができる。
【０２４１】
具体的に、サーバ２００は、ユーザ端末装置１００、３００またはディスプレイ装置４００、５００を介して入力されたユーザの決済情報を該当ショッピングサイトサーバに送信するすることができる。ここで、ユーザの決済情報は、例えば、クレジットカード情報、口座情報などになることができる。
【０２４２】
サーバ２００は、独立的に決済を行うこともできる。これにより、サーバ２００は、統合ウィッシュリストを介して管理されるオブジェクトに対する購買要請がある場合、該当オブジェクトに対する取引明細書を作成し、該当取引明細書に対する決済を行うことができる。
【０２４３】
具体的に、サーバ２００は、クレジットカード、リアルタイム口座振替、ＣＭＳ口座振替、各種の電子マネー、携帯電話ＳＭＳ決済等を通じて、決済を行うことができる。これにより、サーバ２００は、カード社サーバ、銀行サーバ、通信社サーバ、Ｐａｙｐａｌ事業者サーバなどのような多様な決済機能を含むＰＳＰ（Ｐａｙｍｅｎｔ  Ｓｅｒｖｉｃｅ  Ｐｒｏｖｉｄｅｒ）で実現されてよい。
【０２４４】
以下では、サーバ２００がクレジットカード決済を行う場合について簡略に説明する。
【０２４５】
サーバ２００は、電子商取引支払ソリューションを提供する支払ゲート会社（以下、Ｐ／Ｇ社とする）を介して取引に対する情報を送信し、Ｐ／Ｇ社は、またＶＡＮ（Ｖａｌｕｅ  Ａｄｄｅｄ  Ｎｅｔｗｏｒｋ）社に取引事実を通報すると、ＶＡＮ社はクレジットカード社に取引承認を要請できる。この後、サーバ２００は、決済代金を販売者に支払い、クレジットカード社からユーザ（すなわち、購買者）に取引内訳書を送付して購入代金を返済できるようにすることができる。
【０２４６】
この場合、サーバ２００は、決済結果を該当ショッピングサイトサーバに伝送できる。
【０２４７】
以下、各構成要素では簡単な機能だけ説明し、サーバ２００で行われる動作を細分化して詳細なサーバ２００の機能を説明する。
【０２４８】
通信部２１０は、第１通信部及び第２通信部を備えることができる。
【０２４９】
第１通信部は、ユーザ端末装置１００、３００と通信を行う。
【０２５０】
第２通信部は、ユーザ端末装置１００、３００に格納された統合ウィッシュリスト機能を提供するためのアプリケーションを実行することによって、複数の互いに異なるサービス提供サーバを介して各々選択されたオブジェクトに対する情報を受信する。
【０２５１】
格納部２２０は、受信されたオブジェクト情報を格納することができる。
【０２５２】
制御部２３０は、受信されたオブジェクト情報を統合して統合ウィッシュリストを管理することができる。
【０２５３】
ユーザ端末装置１００（または、ディスプレイ装置４００、５００）からユーザ認証情報を含むユーザ情報が受信されると、サーバ２００は、多数のユーザの情報が格納された格納部２２０に受信されたユーザ情報を格納し管理できる。このように、ユーザは、サーバ２００から統合ウィッシュリストサービスの提供を受けることができる。
【０２５４】
ユーザは、ユーザ認証情報、例えば、ＩＤ情報とパスワード情報をユーザ端末装置１００を介して入力、サーバ２００にログインして統合ウィッシュリストサービスを利用できるようになる。
【０２５５】
サーバ２００は、ユーザ端末装置１００、３００で統合ウィッシュリストアプリケーションをダウンロードする動作だけで該当ユーザ端末装置１００、３００に対するアカウントを生成することもできる。例えば、ユーザ端末装置１００、３００の識別情報（例えば電話番号）でアカウントを生成できる。この場合には、アプリケーションを実行することだけで該当アカウントにログインするようにすることができる。
【０２５６】
ユーザは、サーバ２００にログインすることで複数のショッピングサイトサーバに同時に自動的にログインできる。
【０２５７】
サーバ２００は、各ユーザまたは各ユーザ端末装置に値王する統合ウィッシュリストを管理できる。
【０２５８】
具体的に、サーバ２００は、ユーザ端末装置１００、３００（または、ディスプレイ装置４００、５００）から特定オブジェクトに対する統合ウィッシュリスト追加要請を受信すると、ショッピングサイトサーバに該当商品に対する情報を要請し該当情報を受信して格納及び管理できる。
【０２５９】
この場合、サーバ２００は、該当ショッピングサイトサーバから提供する商品に対する情報をそのまま受信して格納及び管理できるが、ユーザの選択した特定商品の情報だけを受信して管理できる。例えば、ユーザがウェブページ上において商品のイメージと価格だけを選択した場合、該当情報だけを受信して管理できる。
【０２６０】
また、ショッピングサイトサーバ２０が該当オブジェクトに対するオフライン売り場情報を提供する場合、該当情報も格納して管理できる。
【０２６１】
一方、サーバ２００は、統合ウィッシュリストに記録されたオブジェクトを多様な形態で管理できる。
【０２６２】
例えば、サーバ２００は、統合ウィッシュリストに記録オブジェクトをオブジェクトが記録された順序に応じて格納および管理できる。この場合、サーバ２００は、統合ウィッシュリストに入れたオブジェクトをタイムラインベースで管理できる。
【０２６３】
または、サーバ２００は、統合ウィッシュリストに記録オブジェクトをタイプに応じて分類して格納／管理できる。
【０２６４】
サーバ２００は、予め設定されたイベント発生時に統合ウィッシュリストに入れたオブジェクトに対する購買情報を提供する他のサービス提供サーバと通信を行うことができる。ここで、他のサービス提供サーバは、クレジットカード関連サーバ、価格比較関連サーバ、リアルタイム商品平提供関連サーバのうち、少なくとも一つで具現化されることができる。
【０２６５】
具体的に、サーバ２００は、ウィッシュリストに入れた少なくとも一つのオブジェクトに対する購買情報を提供する他のサービス提供サーバと通信して統合ウィッシュリストをアップデートできる。例えば、サーバ２００は、統合ウィッシュリストに入れた少なくとも一つのオブジェクトに対する多様な購買情報をアップデートできる。
【０２６６】
一例として、サーバ２００は、他のサービス提供サーバと通信を行って他のサービス提供サーバから提供する少なくとも一つのサービスに対する評価を適用して他のサービス提供サーバに等級を設定し、設定された等級を統合ウィッシュリストに反映できる。
【０２６７】
これにより、サーバ２００は、予め設定されたイベントが発生すると、アップデートされたサービス提供サーバに対する等級に基づいて該当オブジェクトに対する購買情報をアップデートして提供できる。
【０２６８】
また、サーバ２００は、設定された等級によって対応する広告メッセージの内容、広告メッセージ提供時期及び広告メッセージ提供方式のうち、少なくとも一つを決定し、これに基づいて該当オブジェクトに対する購買情報を提供できる。
【０２６９】
また、サーバ２００は、設定された等級に応じてユーザ端末装置１００へのメッセージ送信、電子メールアカウントへの電子メール送信及び郵便物送信のうち、少なくとも一つに対応する方式で購買情報を提供できる。
【０２７０】
また、サーバ２００は、ユーザが前記該当オブジェクトを販売するオフライン売り場及びショッピングサイトのうち、少なくとも一つに訪問すると、現在設定された等級に応じて対応する購買情報提供方式で購買情報を提供できる。
【０２７１】
サーバ２００は、統合ウィッシュリストに入れた商品に対する情報の変更がある場合、該当情報をアップデートしたりユーザ端末装置１００、３００に該当アップデートを通知できる。この場合、アップデートされた内容は、ＳＭＳメッセージ形態で送信されたり、ＩＰプロトコルを利用してユーザに通知されることができる。
【０２７２】
具体的に、サーバ２００は、予め設定されたイベントの発生時に、ショッピングサイトサーバ２０に該当商品に対する最新情報を要請し、要請に対する応答として受信された情報が格納された情報と異なる場合、アップデートされた情報が存在することをユーザに通知できる。ここで、予め設定されたイベントは、該当商品に対する購買要請（または、決済要請）がある場合、その他に該当商品に対する情報アップデート要請がある場合になることができる。
【０２７３】
例えば、サーバ２００は、統合ウィッシュリストに入れた商品に対する購買要請がある場合、ショッピングサイトサーバに該当商品に対する最新の商品情報を要請し、要請によって受信された情報が格納された情報と異なる場合、該当内容をユーザに通知できる。この場合、サーバ２００は、購買要請のあるすべての商品に対して最新情報を要請せず、変更された情報のある商品に対してのみ最新情報を送信するようにショッピングサイトサーバ２０に要請することも可能である。
【０２７４】
または、サーバ２００は、統合ウィッシュリストに入れた商品に対して予め設定されたイベント発生時（例えば、周期的に）に、該当ショッピングサイトサーバ２０にアップデートされた情報を要請できる。サーバ２００は、アップデートされた情報のある商品に対してのみアップデートされた情報を送信するようにショッピングサイトサーバ２０に要請できる。
【０２７５】
または、サーバ２００の要請がなくてもショッピングサイトサーバ２０で統合ウィッシュリストに入れた商品にアップデートされた情報がある場合、プッシュ形態でサーバ２００に提供できる。
【０２７６】
アップデートされた情報は、例えば、価格／割引率変更、クーポン追加／満了、品切れ数量の通知、オフライン売り場位置およびオフライン売り場の運営時間などであってよい。
【０２７７】
一方、サーバ２００は、統合ウィッシュリストに入れたオブジェクトと関連してオフライン売り場情報を格納／管理する場合には、予め設定されたイベントに応じて該当内容をユーザ端末装置１００、３００に伝送できる。
【０２７８】
例えば、ユーザ端末装置１００、３００を所持したユーザが統合ウィッシュリストに入れた商品と関連したオフライン売り場に進入する場合、該当内容をユーザ端末装置１００、３００に通知できる。
【０２７９】
この場合、ユーザがオフライン売り場に訪問したかどうかは、ユーザ端末装置１００、３００に備えられた内蔵ＧＰＳを介して確認できる。具体的に、ユーザ端末装置１００、３００は、ＧＰＳ衛星（図示せず）から送出するＧＰＳ（Ｇｌｏｂａｌ  Ｐｏｓｉｔｉｏｎｉｎｇ  Ｓｙｓｔｅｍ）信号を受信して位置情報を生成でき、生成された位置情報は、サーバ２００に送信されることができる。例えば、ユーザ端末装置１００、３００は、３個以上のＧＰＳ衛星からの信号到達時間と距離を測定して自身の現在位置を測定できる。また、誤差範囲を最小化するために、ＤＧＰＳ（Differential GPS）を利用することもできる。また、ユーザ端末装置１００、３００は、ＧＰＳ信号から緯度経度・高度の位置だけでなく正確な時間まで得ることができる。
【０２８０】
サーバ２００がＳＮＳサーバで具現化される場合、サーバ２００は、ＳＮＳを介した情報共有機能を提供できる。
【０２８１】
具体的に、サーバ２００は、特定ユーザの統合ウィッシュリストに記録されたオブジェクト目録と予め格納された知人等の購買リストと比較して、知人のうち、購買者が存在するかを探索できる。探索結果、購買者が存在すると、サーバ２００は当該商品を購買した知人に、該当事実を通知することができる。
【０２８２】
また、サーバ２００は、特定ユーザの統合ウィッシュリストに記録されたオブジェクト目録と知人の統合ウィッシュリストに記録されたオブジェクト目録とを比較して、同じオブジェクトに対する情報をユーザに提供できる。例えば、同じオブジェクトに対して知人の統合ウィッシュリストに記録されたショッピングサイトの価格がより安い場合、サーバ２００はショッピングサイトに価格に対する情報をユーザに提供できる。
【０２８３】
また、サーバ２００は、特定ユーザの統合ウィッシュリストに記録されたオブジェクトや、購買されたオブジェクトに対する情報を知人と共有することができる。
【０２８４】
また、サーバ２００は、特定ユーザの統合ウィッシュリストに記録された商品に対して知人に投票方式で意見を問い、投票結果をユーザがリアルタイムでモニターリングすることができる。
【０２８５】
また、サーバ２００は、ＬＢＳ情報に基づいてオフライン売り場の商品情報を統合ウィッシュリストに追加し知人に薦めることができる。
【０２８６】
一方、商品を購買した他のユーザにお知らせメッセージが提供された場合、他のユーザは、該当商品に対する評価情報を自身のユーザ端末装置を介して入力してサーバ２００に提供できる。評価情報とは、該当商品に対する購買を薦めまたは非薦めするか、または該当商品の品質に対して評価した情報などになることができる。
【０２８７】
図１３は、本発明の一実施形態にかかるユーザ端末装置のＵＩ画面提供方法を説明するための図である。
【０２８８】
図１３に示しているように、ユーザ端末装置１００、３００で統合ウィッシュリストアプリケーションは、予め設定されたアイコン１２１に提供されることができる。ここで、予め設定されたアイコンは、ショッピングカートイメージで具現化されることができるが、これは一実施形態に過ぎず、これに限定されるものではない。
【０２８９】
図１３に示すように、統合ウィッシュリストアプリケーションに対応するアイコン１２１が選択され、統合ウィッシュリストアプリケーションが実行されると、統合ウィッシュリストサービスに対するメニュー１２２がディスプレイされることができる。
【０２９０】
例えば、メニュー１２２には、「アイコン活性化」メニュー１２３、「統合ウィッシュリストビュー」メニュー１２４及び「外部機器と同期化」メニュー１２５などが含まれることができる。ただ、それは一実施形態に過ぎず、それに限定されるものではない。
【０２９１】
図１４は、本発明の一実施形態にかかるユーザ端末装置のＵＩ画面の提供方法を説明するための図である。
【０２９２】
図１４に示すように、統合ウィッシュリストアプリケーションに対応するアイコン１２１が選択されると、直ちに統合ウィッシュリストに記録されたオブジェクト目録がディスプレイされることができる。
【０２９３】
この場合、別途の設定ボタン１３１をディスプレイして設定ボタンが選択されると、アイコン機能及び外部機器同期化機能のイネーブル有無を選択するメニュー１３２、１３３が提供されることができる。図１４に示すように、メニュー１３２、１３３を通じて、アイコン機能および同期化機能がディスエーブルされた場合、アプリケーションが活性化されると、アイコンおよび同期化がイネーブルされない。逆に、アイコン機能および同期化機能がイネーブルされた場合、アプリケーションが実行されると、当該機能はイネーブルされる。
【０２９４】
図１５及び図１６は、図１４に示すメニューのうち、何れか一つのメニューが選択された場合のＵＩ画面を示す図である。
【０２９５】
図１５に示す実施形態は、ユーザ端末装置１００、３００に適用されることができる。
【０２９６】
図１５の左側の上部に示すように「アイコン活性化」メニューが選択されると、ショッピングサイトウェブページ上にウィッシュリストアイコンが表示されることができる。
【０２９７】
例えば、左側の下部に示すように、ウィッシュリストアイコン３０が画面の一側に表示されることができる。ウィッシュリストアイコン３０は、ウェブページの上部にオーバーラップされ、ウィッシュリストアイコン３０とオーバーラップされたウェブページは塞がれてよい。この場合、図１５に示すように商品イメージまたは商品情報などをタッチしてウィッシュリストアイコン３０にドラッグしたり、タッチ後フリック操作などを介して該当商品を統合ウィッシュリストに追加できる。なお、ウィッシュリストアイコン３０が商品イメージまたは商品情報に移動される操作によって、統合ウィッシュリストに商品が追加されてよい。
【０２９８】
または、右側の上部に示すように、ウィッシュリストアイコン３０がウェブページに他のレイヤーにディスプレイされてよい。ウィッシュリストアイコン３０は、ウェブページの上部にオーバーラップされ、ウィッシュリストアイコン３０とオーバーラップされたウェブページの領域が見えるように、半透明にディスプレイされてよい。この場合、商品イメージまたは商品情報上において該当ウィッシュリストアイコンをｔｏｕｃｈ＆ｈｏｌｄする操作を介してオブジェクトを統合ウィッシュリストに追加できる。この場合、ユーザは、ウィッシュリストアイコン３０をタッチアンドドラッグして表示位置を移動させることができる。なお、ウィッシュリストアイコン３０のレイヤが活性化されると、ウィッシュリストアイコン３０が商品イメージまたは商品情報に移動される操作により、統合ウィッシュリストに商品が追加されてよい。
【０２９９】
または、右側の下部に示すように、ウィッシュリストアイコン３０がユーザタッチ地点に同期化してタッチ地点の一側に表示され、ユーザの入力に従ってよい。この場合、商品イメージまたは商品情報上においてｔｏｕｃｈ＆ｈｏｌｄする操作を介してオブジェクトを統合ウィッシュリストに追加できる。ｔｏｕｃｈ＆ｈｏｌｄする操作時にウィッシュリストアイコンの模様及び色相のうち、少なくとも一つが変更され、変更された状態でｓｗｉｐｅ動作時に該当商品が統合ウィッシュリストに追加されることができる。
【０３００】
図１６に示す実施形態は、ディスプレイ装置４００、５００に適用されることができる。
【０３０１】
図１６の左側に示すように、「外部機器と同期化」メニュー１２５が選択されると、ディスプレイ装置４００、５００の画面にディスプレイされたショッピングサイトウェブページ上にウィッシュリストアイコンが活性化されて表示されることができる（下側の図面）。
【０３０２】
例えば、ウィッシュリストアイコン３０がカーソル４０の一側に表示されることができる。ウィッシュリストアイコン３０は、カーソル４０の表示位置が移動すると、カーソル４０の表示位置をトラッキングすることができる。
【０３０３】
この場合、商品イメージまたは商品情報上においてｔｏｕｃｈ＆ｈｏｌｄする操作を介してオブジェクトを統合ウィッシュリストに追加できる。カーソルがオブジェクト上を過ぎる時に、ウィッシュリストアイコンの模様及び色相のうち、少なくとも一つが変更され、クリックまたはダブルクリック時に該当商品が統合ウィッシュリストに追加されることができる。
【０３０４】
一方、ユーザ端末装置１００には、統合ウィッシュリスト機能が外部機器と同期化されたことを表す画面がディスプレイされることができる。
【０３０５】
図１７ないし図２０は、図１４に示すメニューのうち、他の一つのメニューが選択された場合のＵＩ画面を示す図である。
【０３０６】
図１７ないし図２０に示す実施形態は、ユーザ端末装置１００、３００に適用されることができる。
【０３０７】
図１７の左側に示すように「統合ウィッシュリストビュー」メニューが選択されると、右側に示すように、統合ウィッシュリストに記録されたオブジェクト目録がディスプレイされることができる。図１７に示すように、各オブジェクトに対応する情報、例えば商品名、価格、数量、ショッピングサイト情報などがディスプレイされることができ、商品を購買するための購買ボタン、統合ウィッシュリストからアイテムを削除するための削除ボタンなどが提供されることができる。
【０３０８】
図１８の左側の上部に示すように、「統合ウィッシュリストビュー」メニューは、「入れた順にビュー１２３−１」、「商品カテゴリー別にビュー１２３−２」及び「他のショッピングサイトを共にビュー１２３−３」などのサブメニューを含むことができる。
【０３０９】
「商品カテゴリー別にビュー１２３−２」メニューが選択されると、図１８の右側の上部に示すように、統合ウィッシュリストに入れたオブジェクトのカテゴリーを示すサブメニューがディスプレイされてよい。
【０３１０】
商品カテゴリーのうち、衣類カテゴリーが選択された場合、図１８の下部に示すように統合ウィッシュリストで、衣類カテゴリーに属するオブジェクトだけがリスト形態で表示されることができる。
【０３１１】
また、図には示されないが、「価格順にビュー」、「ショッピングサイトカテゴリーも区分してビュー」など多様なカテゴリーに区分されたＵＩを提供することもできる。
【０３１２】
図１９に示すように、「他のショッピングサイト共にビュー１２３−３」メニューが選択されると、統合ウィッシュリストに入れたオブジェクトの各々に対して該当オブジェクトを販売するショッピング際とを見ることができるＵＩ画面を提供できる。ショッピングサイトは、商取引ウェブサイトまたは物理的なショッピングサイト地点であってよい。これにより、ユーザは、商品に対する価格情報を比較することができるようになる。
【０３１３】
また、上述したメニューは、一実施形態に過ぎず、多様な方式で実現されてよい。
【０３１４】
また、サブメニュー１２３−１、…１２３−３に優先順位が与えられてよい。図１８の左側の上部にサブメニューリスと画面をディスプレイしなくて直ちにサブメニュー該当ＵＩ画面をディスプレイできる。
【０３１５】
図２０は、図１４に示すメニューのうち、さらに他の一つのメニューが選択された場合のＵＩ画面を示す図である。
【０３１６】
図２０に示すように、「外部機器と同期化１２５」メニューが選択されると、ユーザ端末装置３００は、通信可能な外部機器を探索し、探索された外部機器目録をディスプレイできる。
【０３１７】
次に、メニュー上において「ＰＣ」が同期化する外部機器として選択されると、ユーザ端末装置３００及び外部ディスプレイ装置４００が同期化した状態を表すＵＩ画面をディスプレイできる。「Ｃａｎｃｅｌボタン１２６」を介して同期化された状態が解除されるようにすることができる。
【０３１８】
図２１ないし図２４は、ユーザ端末装置のモードの変更に応じるＵＩ形態を示す図である。
【０３１９】
図２１ないし図２４に示すように、ユーザ端末装置１００、３００が縦モードから横モードに変更された場合、追加情報をさらに表示できる。
【０３２０】
例えば、図２１に示すように、縦モードで統合ウィッシュリスト項目が表示された場合、横モードでは、各オブジェクト目録には、最低価ショッピングサイト情報がさらにディスプレイされることができる。この場合、「もっと見る」ボタンを用意して統合ウィッシュリスト上に商品を提供する最低価ショッピングサイト外の他のショッピングサイトに対する細部情報を見るようにすることができる。
【０３２１】
または、図２２に示すように、縦モードで統合ウィッシュリスト項目が表示された場合、横モードでは、アップデートされた商品情報が各オブジェクトに対してさらにディスプレイされることができる。この場合、図示のようにアップデートされた情報のあるオブジェクトは、最上端に表示されることができ、場合によっては、アップデートされた商品情報が存在することをユーザに強調するために、ハイライトされるように表示することができる。
【０３２２】
または、図２３に示すように、縦モードでショッピングサイトウェブページがディスプレイされた場合、横モードでは、画面を分割してショッピングサイトウェブページ及び統合ウィッシュリスト項目を共に表示できる。この場合、ショッピングサイトウェブページから商品が選択されると、ユーザが統合ウィッシュリストおよびウェブページを同時に見ることができるように、統合ウィッシュリスト項目は、直ちにアップデートされて表示されることができる。
【０３２３】
また、ユーザが統合ウィッシュリスト項目が表示された右側分割画面から特定商品の購買ボタンを選択する場合、ショッピングサイトウェブページ画面が表示された左側分割画面は、商品購買完了のための購買画面に転換できる。
【０３２４】
また、横モードが縦モードに転換されると、選択された分割画面のいずれか一つが全体画面にディスプレイされることができる。
【０３２５】
または、図２４に示すように、縦モードでショッピングサイトウェブページがディスプレイされた場合、分割画面のいずれか一つにショッピングサイトウェブページを、分割画面の別の一つに別のショッピングサイト情報をディスプレイするように画面が分割してよい。なお、別の情報は、商品購買のための別のソースから提供される価格であってよい。
【０３２６】
図２５及び図２６は、本発明の多様な実施形態によって通知内容を含むＵＩ画面の形態を示す図である。
【０３２７】
図２５（ａ）に示すように、統合ウィッシュリストに入れた商品情報が変更されると、該当内容をユーザに通知するＵＩ画面をディスプレイできる。この場合、ユーザが確認ボタンを選択すると、統合ウィッシュリストに登録された商品目録がディスプレイされ、変更された商品に対する情報がハイライトされて表示されることができる。これは、一実施形態に過ぎず、変更された商品に対する情報を識別する表示方法は、多様な形態になることができる。例えば、変更された商品に対する情報がハイライト表示と共に最上端にディスプレイされることもできる。
【０３２８】
図２５（ｂ）に示すように、統合ウィッシュリストに入れた商品がもうすぐ品切れ状態にある場合、該当内容をユーザに通知するＵＩ画面をディスプレイできる。同様に、もうすぐ品切れ商品に対する情報がハイライトされて表示されたり、最上端に表示されたり、最上端にハイライトされた状態で表示されることができる。
【０３２９】
図２６に示すように、統合ウィッシュリストに入れた商品に対してＳＮＳを介した知人の薦めがある場合、該当内容をユーザに通知するＵＩ画面をディスプレイできる。この場合にも、図２５に説明したように知人の薦めのある商品に対する情報が他の商品に対する情報と識別されるように表示されることができる。
【０３３０】
図２７は、本発明の他の実施形態にかかるＵＩ画面を示す図である。
【０３３１】
図２７の左側に示すように、ショッピングサイトウェブページ上において商品が選択されると、該当商品が統合ウィッシュリスト項目に追加されることができる。頭語うウィッシュリストは、新たな商品が統合ウィッシュリストに追加されると、ディスプレイされてよい。
【０３３２】
図２８は、決済機能と関連したＵＩ画面を示す図である。
【０３３３】
図２８（ａ）に示すように、サーバ２００が決済サービスを提供しない形態で具現化される場合、統合ウィッシュリストに入れたオブジェクトに対する購買要請がある場合、該当ショッピングサイト決済サイトに移動する内容のＵＩ画面を提供できる。
【０３３４】
または、図２８（ｂ）に示すように、サーバ２００が決済サービスを提供する形態で具現化される場合、統合ウィッシュリストに入れたオブジェクトに対する購買要請がある場合、該当オブジェクトに対する決済を行うための決済ＵＩ画面を提供できる。
【０３３５】
図２９及び図３０は、本発明の一実施形態にかかるディスプレイ装置４００、５００での画面表示変化状態を説明するための図である。
【０３３６】
以下、説明の便宜のためにディスプレイ装置４００、５００がＰＣで具現化される場合を想定して説明する。
【０３３７】
図２９の最上端に示すように、ディスプレイ装置４００の画面４３０にショッピングサイトウェブページがディスプレイされ、ウェブページ上にウィッシュリストアイコン３０がディスプレイされることができる。
【０３３８】
図２９の中間に示すように、ウィッシュリストアイコンを介して商品が選択されると、該当商品がウィッシュリストに追加されたことを知らせるポップアップウィンドウ４３１がディスプレイされることができる。
【０３３９】
図２９の中間に示す画面からユーザが「Ｙｅｓ」を選択する場合、最下端に示すように統合ウィッシュリストに記録されたアイテム目録が画面上にディスプレイされることができる。また、統合ウィッシュリストに記録されたアイテム目録４３２の他に追加メニュー、例えば、全体削除４３３、選択削除４３４、全体購買４３５、選択購買４３６などのメニューも共に表示されることができる。
【０３４０】
一方、図３０に示すように、ウィッシュリストアイコン３０は、カーソルに連動してディスプレイされることができる。
【０３４１】
具体的に、図３０の上部に示すようなウィッシュリストアイコン３０は、下部に暗いウィッシュリストアイコン３０で示すように、ウィッシュリストアイコンは、カーソルが選択可能なオブジェクト上をすぎる時にユーザがこれを認識するように形態、色相などが変更されて表示されることができる。このような状態でユーザがカーソルをクリックする場合、該当商品がウィッシュリストに追加されることができる。
【０３４２】
図３１及び図３２は、ユーザ端末装置１００、３００の第１ユーザと予め設定された関係にある第２ユーザのユーザ端末６００から提供されるＵＩ画面の形態を説明するための図である。
【０３４３】
図３１に示すように、ユーザ端末１００、３００を介して特定商品が統合ウィッシュリストに追加されると、該当商品を購買したことがある第２ユーザのユーザ端末装置６００の画面上には、第１ユーザがＡＡＡかばんを統合ウィッシュリストに追加したことを知らせるメッセージと共に、薦め６１１、非薦め６１２、評価しない６１３のような各種のメニューが含まれたポップアップウィンドウ６１０がディスプレイされる。この場合、第２ユーザは、このうちの一つのメニューを選択できる。薦め６１１または、非薦め６１２メニューを選択すると、これに対応する評価情報がサーバ２００またはユーザ端末１００、３００に送信されることができる。よって、第１ユーザは、統合ウィッシュリストに基づいて第２ユーザのお薦めを受信することができる。
【０３４４】
図３２の上部に示すように、該当商品を購買したことがある第２ユーザのユーザ端末装置６００の画面上には、第１ユーザがＡＡＡかばんを統合ウィッシュリストに追加したことを知らせるメッセージ及び評価意見を送信するかどうかを知らせるメッセージと共に、Ｙｅｓ６３１及びＮｏ６３２メニューが含まれたポップアップウィンドウ６３０がディスプレイされることができる。
【０３４５】
また、第２ユーザがＹｅｓ６３１メニューを選択した場合には、評価意見を入力できるウィンドウ６４１及び入力完了６４２、訂正６４３メニューを含む画面６４０がディスプレイされることができる。第２ユーザは、統合ウィッシュリストに基づいて、商品に対するお薦めを第１ユーザ  に提供することができる。
【０３４６】
図３３は、第２ユーザのユーザ端末装置６００の動作に応じて第１ユーザのユーザ端末装置１００、３００から提供されるＵＩ画面を説明するための図である。
【０３４７】
図３３の上部に示すように統合ウィッシュリストに追加された商品に対して第２ユーザが薦めまたは非薦めであるかを知らせるメッセージ及び確認メニュー１４１を含むポップアップウィンドウ６２０がディスプレイされることができる。ユーザは、該当メッセージを確認した場合、確認メニュー６２１を選択してポップアップウィンドウ６２０を消すことができる。
【０３４８】
また、図３３の下部に示すように、統合ウィッシュリストに追加された商品に対して第２ユーザが評価意見を送付した場合、該当内容を知らせるメッセージを含むポップアップウィンドウ６５０がディスプレイされることができる。
【０３４９】
図３４は、本発明の他の実施形態にかかるＵＩ画面を説明するための図である。
【０３５０】
図３４に示すように、ウェブページ上においてユーザが選択した情報だけが統合ウィッシュリストに追加されることができる。
【０３５１】
図３４に示すように、ユーザが「Ｃ  ｍａｌｌ」というテキスト、「化粧品」イメージ、「７００００」というテキストを順に選択した場合、該当情報だけが統合ウィッシュリストに記録されることができる。これにより、互いに異なるショッピングサイトで互いに異なる情報を選択したならば、統合ウィッシュリストに入れた商品に対する情報は、多様な形態になることができる。または、ユーザが商品を選択すると、商品および商品のソースに関連する全商品情報が獲得されてよい。
【０３５２】
図３５及び図３６は、本発明の多様な実施形態にかかるＵＩ画面を説明するための図である。
【０３５３】
図３５（ａ）に示すように、ユーザ端末装置１００がスタイラスペンを入力手段として利用したタッチ方式を採用する場合、商品名を特性パターンの図形を描く方式で選択命令を入力できる。ここで、スタイラスペン（ＰＤＡペンとも呼ぶ）とは、テキストを作成したり線を描くのに使用されるコンピュータ入力装置のことを意味する。特定パターンが検出されると、特定パターンに関連する商品および関連する商品またはソース情報が統合ウィッシュリストに追加されてよい。
【０３５４】
また、図３５（ｂ）に示すように、ウィッシュリストアイコンに特性パターンの図形を描く方式で商品を統合ウィッシュリストに登録できる。それにより、ウィッシュリストアイコン３０の関連する特定パターンが検出されると、ウェブページ上にディスプレイされた商品は、統合ウィッシュリストに追加される。
【０３５５】
図３６は、タブレットＰＣに統合ウィッシュリストがディスプレイされた形態を示す。タブレットＰＣは、一般携帯電話より画面のサイズが大きいために、統合ウィッシュリストに記録された商品の情報が一般携帯電話と異なる形態でディスプレイされることもできる。例えば、商品イメージがより大きく表示されることもできる。それにより、統合ウィッシュリストは、画面サイズに応じてユーザにディスプレイされてよい。
【０３５６】
図３７は、本発明の一実施形態にかかるユーザ端末装置１００の制御部１４０の細部構成を説明するための図である。後述する制御部１４０の細部構成は、他の制御部３５０、４７０、５６０にも類似の形態で適用されることができる。
【０３５７】
図３７によれば、制御部１４０は、システムメモリ１４１、メインＣＰＵ１４２、イメージプロセッサ１４３、ネットワークインタフェース１４４、格納部インタフェース１４５、第１ないしｎインタフェース１４６−１〜１４６−ｎ、オーディオ処理部１４７、システムバス１４８を備える。
【０３５８】
システムメモリ１４１、メインＣＰＵ１４２、イメージプロセッサ１４３、ネットワークインタフェース１４４、格納部インタフェース１４５、第１ないしｎインタフェース１４６−１〜１４６−ｎ、オーディオ処理部１４７は、システムバス１４８を介して互いに接続されて、各種のデータや信号などを送受信できる。
【０３５９】
第１ないしｎインタフェース１４６−１〜１４６−ｎは、ディスプレイ部１１０をはじめとする多様な構成要素と制御部１４０内の各構成要素間のインタフェーシングを支援する。また、第１ないしｎインタフェース１４６−１〜１４６−ｎのうち、少なくとも一つは、ユーザ端末装置１００のボディー部分に設けられたボタンや、外部入力ポート１ないしｎを介して接続した外部装置から各種の信号を受信する入力インタフェースで具現化されることもできる。
【０３６０】
システムメモリ１４１は、ＲＯＭ１４１−１及びＲＡＭ１４１−２を備える。ＲＯＭ１４１−１には、システムブーティングのための命令語セットなどが格納される。ターンオン命令が入力されて電源が供給されると、メインＣＰＵ１４２は、ＲＯＭ１４１−１に格納された命令語に応じて格納部１３０に格納されたＯ／ＳをＲＡＭ１４１−２に複写し、Ｏ／Ｓを実行させてシステムをブーティングさせる。ブーティングが完了すると、メインＣＰＵ１４２は、格納部１３０に格納された各種のアプリケーションプログラムをＲＡＭ１４１−２に複写し、ＲＡＭ１４１−２に複写されたアプリケーションプログラムを実行させて各種の動作を行う。
【０３６１】
以上のように、メインＣＰＵ１４２は、格納部１３０に格納されたアプリケーションプログラムの実行に応じて多様な動作を行うことができる。
【０３６２】
格納部インタフェース１４５は、格納部１３０と接続して各種のプログラム、コンテンツ、データなどを送受信する。
【０３６３】
一例として、ユーザが入力を行うと、メインＣＰＵ１４２は、格納部インタフェース１４５を介して格納部１３０にアクセスする。
【０３６４】
例えば、ユーザが格納部１３０に格納された統合ウィッシュリストアプリケーションを実行するための命令に対応するタッチ操作を行うと、メインＣＰＵ１４２は、格納部インタフェース１４５を介して格納部１３０にアクセスし、格納された統合ウィッシュリストアプリケーションに対応するＵＩ画面を生成してディスプレイ部１１０上にディスプレイする。
【０３６５】
イメージ処理部１４３は、デコーダ、レンダラ、スケーラーなどを備えることができる。これにより、格納されたコンテンツをデコードし、デコードされたコンテンツデータをレンダリングしてフレームを構成し、構成されたフレームのサイズをディスプレイ部１１０の画面サイズに合うようにスケーリングする。イメージ処理部１４３は、処理されたフレームをディスプレイ部１１０に提供してディスプレイする。例えば、イメージ処理部１４３は、ショッピングサイトウェブサーバから受信されたウェブページデータをディスプレイ部１１０の画面サイズに合うようにスケーリングできる。
【０３６６】
その他に、オーディオ処理部１４７は、オーディオデータを処理してスピーカー１８０のような音響出力手段に提供する構成要素を意味する。オーディオ処理部１４７は、格納部１３０に格納されたオーディオデータや外部から受信されたオーディオデータをデコードし、ノイズ・フィルターリングした後、適正デシベルに増幅する等のオーディオ信号処理を行うことができる。上述した例において、再生されるコンテンツが動画コンテンツの場合、オーディオ処理部１４７は、動画コンテンツから分離（ｄｅｍｕｘｉｎｇ）されたオーディオデータを処理して、イメージ処理部１４３と同期させて出力できるようにスピーカー１８０に提供できる。例えば、オーディオ処理部１４７は、本発明の多様な実施形態にかかるお知らせ通知が音声通知形態で提供されるように、オーディオ信号処理を行うことができる。
【０３６７】
ネットワークインタフェース１４４は、ネットワークを介して外部装置と接続される部分である。たとえば、メインＣＰＵ１４２は、ウェブブラウザプログラムが実行されると、ネットワークインタフェース１３４を介してウェブサーバにアクセスする。ウェブサーバからウェブページデータが受信されると、メインＣＰＵ１４２は、イメージ処理部１４３を制御してウェブページ画面を構成し、構成されたウェブページ画面をディスプレイ部１１０にディスプレイする。例えば、ネットワークインタフェース１４４は、ユーザ命令に応じてショッピングサイトウェブサーバにアクセスしてウェブページデータを受信することができる。
【０３６８】
一方、上述した制御部１４０の動作は、格納部１３０に格納された各種のプログラムの実行により具現化されることができる。
【０３６９】
図３８は、上述した多様な実施形態にかかる制御部１４０の動作を支援するための格納部１３０のソフトウェア構造を示す図である。図３８によれば、格納部１３０には、ベースモジュール３８１０、デバイス管理モジュール３８２０、通信モジュール３８３０、プレゼンテーションモジュール３８４０、ウェブブラウザモジュール３８５０、サービスモジュール３８６０を備える。
【０３７０】
ベースモジュール３８１０とは、ユーザ端末装置１００に備えられた各ハードウェアから送信される信号を処理して上位レイヤーモジュールに送信する基礎モジュールのことを意味する。
【０３７１】
ベースモジュール３８１０は、ストレージモジュール３８１１、位置基盤モジュール３８１２、セキュリティモジュール３８１３、ネットワークモジュール３８１４などを備える。
【０３７２】
ストレージモジュール３８１１とは、データベース（ＤＢ）やレジストリを管理するプログラムモジュールである。位置基盤モジュール３８１２とは、ＧＰＳチップのようなハードウェアと連動して位置基盤サービスを支援するプログラムモジュールである。セキュリティモジュール３８１３とは、ハードウェアに対する認証（Ｃｅｒｔｉｆｉｃａｔｉｏｎ）、要請許容（Ｐｅｒｍｉｓｓｉｏｎ）、セキュリティ格納（Ｓｅｃｕｒｅ  Ｓｔｏｒａｇｅ）などを支援するプログラムモジュールで、ネットワークモジュール３８１４とは、ネットワーク接続を支援するためのモジュールであって、ＤＮＥＴモジュール、ＵＰｎＰモジュールなどを備える。例えば、ネットワークモジュール３８１４を介してサーバ２００、ショッピングサイトサーバ２０、ディスプレイ装置４００などとネットワーク接続を行うことができる。
【０３７３】
デバイス管理モジュール３８２０は、外部入力及び外部デバイスに対する情報を管理し、これを利用するためのモジュールである。デバイス管理モジュール３８２０は、センシングモジュール２８２１、デバイス情報管理モジュール３８２２、遠隔制御モジュール３８２３等を備えるできる。例えば、デバイス管理モジュール３８２０を介してサーバ２００、ディスプレイ装置４００などに対する情報を管理できるようになる。
【０３７４】
センシングモジュール３８２１は、各種のセンサデータを分析するモジュールである。例えば、センシングモジュール３８２１は、顔認識モジュール、音声認識モジュール、モーション認識モジュール、ＮＦＣ認識モジュールなどを備えることができる。デバイス情報管理モジュール３８２２は、各種のデバイスに対する情報を提供するモジュールであり、遠隔制御モジュール３８２３は、電話機やＴＶ、プリンタ、カメラ、クーラーなどのような周辺デバイスを遠隔制御する動作を行うプログラムモジュールである。
【０３７５】
通信モジュール３８３０は、外部と通信を行うためのモジュールである。通信モジュール３８３０は、メッセンジャープログラム、ＳＭＳ（Ｓｈｏｒｔ  Ｍｅｓｓａｇｅ  Ｓｅｒｖｉｃｅ）＆ＭＭＳ（Ｍｕｌｔｉｍｅｄｉａ  Ｍｅｓｓａｇｅ  Ｓｅｒｖｉｃｅ）プログラム、電子メールプログラムなどのようなメッセージングモジュール３８３１、電話情報収集機（Ｃａｌｌ  Ｉｎｆｏ  Ａｇｇｒｅｇａｔｏｒ）プログラムモジュール、ＶｏＩＰモジュールなどを有する電話モジュール３８３２を備えることができる。例えば、通信モジュール３８３０を介して統合ウィッシュリストサービスと関連した多様なお知らせメッセージ、電子メールサービスなどを提供できる。
【０３７６】
プレゼンテーションモジュール３８４０は、ディスプレイ画面を構成するためのモジュールである。プレゼンテーションモジュール３８４０は、マルチメディアコンテンツを再生して出力するためのマルチメディアモジュール３８４１、ＵＩ及びグラフィック処理を行うＵＩ＆グラフィックモジュール３８４２を備える。マルチメディアモジュール３８４１は、プレーヤーモジュール、ビデオカメラモジュール、サウンド処理モジュールなどを備えることができる。これにより、各種のマルチメディアコンテンツを再生して、画面及び音響を生成して再生する動作を行う。ＵＩ＆グラフィックモジュール３８４２は、イメージを組み合わせるイメージ合成器（Ｉｍａｇｅ  Ｃｏｍｐｏｓｉｔｏｒ  ｍｏｄｕｌｅ）３８４２−１、イメージをディスプレイする画面上の座標を組み合わせて生成する座標組み合わせモジュール３８４２−２、ハードウェアから各種のイベントを受信するＸ１１モジュール３８４２−３、２Ｄまたは３Ｄ形態のＵＩを構成するためのツール（ｔｏｏｌ）を提供する２Ｄ／３ＤＵＩツールキットＳ３８４２−４などを備えることができる。例えば、ＵＩ＆グラフィックモジュール３８４２を介してウェブページ上にウィッシュリストアイコンをディスプレイするか、または多様な形態に変更してディスプレイできるようになる。
【０３７７】
ウェブブラウザモジュール３８５０は、ウェブブラウジングを行ってウェブサーバにアクセスするモジュールを意味する。ウェブブラウザモジュール３８５０は、ウェブページを構成するウェブビュー（ｗｅｂ  ｖｉｅｗ）モジュール、ダウンロードを行うダウンロードエージェントモジュール、ブックマークモジュール、ウェブキット（Ｗｅｂｋｉｔ）モジュールなどのような多様なモジュールを備えることができる。例えば、ウェブブラウザモジュール３８５０を介してショッピングサイトウェブページを構成できるようになる。
【０３７８】
その他に、サービスモジュール３８６０は、多様なサービスを提供するためのアプリケーションモジュールを意味する。例えば、サービスモジュール３８６０は、地図や現在位置、ランドマーク、経路情報などを提供するナビゲーションサービスモジュール、ゲームモジュール、広告アプリケーションモジュールなどのような多様なモジュールを備えることができる。例えば、ナビゲーションサービスモジュールを介して上述した統合ウィッシュリストサービスと関連した多様なオフラインサービスを提供できるようになる。
【０３７９】
制御部１４０内のメインＣＰＵ１４２は、格納部インタフェース１４５を介して格納部１３０にアクセスして、格納部１３０に格納された各種のモジュールをＲＡＭ１４１−２に複写し、複写されたモジュールの動作に応じて動作を行う。
【０３８０】
一例として、ＧＵＩ（Ｇｒａｐｈｉｃ  Ｕｓｅｒ  Ｉｎｔｅｒｆａｃｅ）表示動作の場合、メインＣＰＵ１４２は、プレゼンテーションモジュール３８４０内のイメージ組み合わせモジュール３８４２−１を利用して、ＧＵＩ画面を構成する。そして、座標組み合わせモジュール３８４２−２を利用して、ＧＵＩ画面の表示位置を決定し、その位置にＧＵＩ画面を表示するようにディスプレイ部１２０を制御する。例えば、本発明にかかるウィッシュリストアイコンを表示するようにディスプレイ部１２０を制御できる。
【０３８１】
または、メッセージ受信動作に対応するユーザ操作がなされた場合には、メインＣＰＵ１４２は、メッセージングモジュール３８４１を実行させて、メッセージ管理サーバにアクセスした後、ユーザアカウントに格納されたメッセージを受信する。そして、メインＣＰＵ１４２は、プレゼンテーションモジュール３８４０を利用して、受信されたメッセージに対応する画面を構成した後、ディスプレイ部１２０に表示される。例えば、本発明にかかる統合ウィッシュリストサービスに対する知人評価情報などのメッセージを受信し対応する画面を構成できる。
【０３８２】
その他に、電話通話動作を行う場合には、メインＣＰＵ１３２は、電話モジュール２８３２を駆動させることもできる。
【０３８３】
以上のように格納部１３０には、多様な構造のプログラムが格納されていることができ、制御部１４０は、格納部１３０に格納された各種のプログラムを利用して上述した多様な実施形態にかかる動作を行うことができる。
【０３８４】
図３９は、本発明の一実施形態にかかるユーザ端末装置の制御方法を説明するためのフローチャートである。
【０３８５】
図３９に示すユーザ端末装置の制御方法によれば、ユーザ端末装置は、まず、統合ウィッシュリスト機能を提供するためのアプリケーションを実行する（Ｓ３９１０）。
【０３８６】
次に、アプリケーション実行によって複数の互いに異なるサービス提供サーバを介して各々選択されたオブジェクトに対する情報を受信する（Ｓ３９２０）。ここで、、複数の互いに異なるサービス提供サーバは、複数の電子商取引サーバになることができる。例えば、第１商品に対する第１情報は第１電子商取引サーバから受信され、第２商品に対する第２情報は第２電子商取引サーバから受信されてよい。
【０３８７】
この後、受信されたオブジェクト情報を統合して統合ウィッシュリストを管理するように制御する（Ｓ３９３０）。この場合、受信されたオブジェクト情報を統合ウィッシュリストを管理するサーバに送信して、サーバで管理がなされるようにすることができる。
【０３８８】
また、複数の互いに異なるサービス提供サーバを介して提供されるサービス提供画面がディスプレイされると、サービス提供画面上に統合ウィッシュリストに対するメニューを追加できる。ここで、統合ウィッシュリストに対するメニューは、アイコン形態でディスプレイされ、アイコンは、ディスプレイ画面に対するユーザタッチ動作に連動してディスプレイされることができる。また、アイコンは、統合ウィッシュリストに追加されたオブジェクトの情報に応じて対応する形態に変更されてディスプレイされることができる。
【０３８９】
また、統合ウィッシュリスト機能で提供する購買要請メニューを介して少なくとも一つのオブジェクトが選択されると、選択されたオブジェクトに対応するサービス提供サーバに該当オブジェクトに対する購買要請を送信できる。
【０３９０】
また、予め設定されたイベント発生時（例えば、周期的に）にサービス提供サーバに統合ウィッシュリストに記録されたオブジェクトに対する情報を要請し、変更された情報をアップデートできる。
【０３９１】
また、統合ウィッシュリストに対する購買要請メニューを介して少なくとも一つのオブジェクトが選択されると、選択されたオブジェクトに対応するサービス提供サーバに該当オブジェクトに対する情報を要請できる。次に、統合ウィッシュリストに記録された選択されたオブジェクトに対する情報と要請によって受信された情報とが一致しない場合、該当内容を出力できる。
【０３９２】
一方、ユーザ端末装置は、外部ディスプレイ装置と通信を行うことができる。この場合、アプリケーションを実行することによって外部ディスプレイ装置から統合ウィッシュリスト機能が提供されるように制御できる。
【０３９３】
また、外部ディスプレイ装置において複数の互いに異なるサービス提供サーバを介して提供されるサービス提供画面がディスプレイされると、サービス提供画面上に統合ウィッシュリストに対するメニューを追加するように制御できる。
【０３９４】
一方、サービス提供サーバは、周期的にまたはサーバから要請がある場合、統合ウィッシュリストに記録されたオブジェクトに対する情報をチェックして、変更された情報がある場合、アップデートされた商品情報をサーバに通知できる。
【０３９５】
図４０は、本発明の一実施形態にかかるディスプレイ装置の制御方法を説明するためのフローチャートである。
【０３９６】
図４０に示すディスプレイ装置の制御方法によれば、ディスプレイ装置は、まず、ユーザ端末装置と通信を行う（Ｓ４０１０）。
【０３９７】
次に、ユーザ端末装置で統合ウィッシュリスト機能を提供するアプリケーションを実行することによって、複数の互いに異なるサービス提供サーバを介して各々選択されたオブジェクトに対する情報を受信する（Ｓ４０２０）。
【０３９８】
この後、受信されたオブジェクト情報を統合して統合ウィッシュリストを管理するように制御する（Ｓ４０３０）。
【０３９９】
また、複数の互いに異なるサービス提供サーバを介して提供されるサービス提供画面がディスプレイされると、サービス提供画面上に統合ウィッシュリストが活性化されていることを表すオブジェクトを表示できる。この場合、オブジェクトは、アイコン形態でディスプレイされ、アイコンは、ディスプレイ画面上に表示されたカーソルに連動してディスプレイされることができる。
【０４００】
また、アイコンは、統合ウィッシュリストに追加されたオブジェクトの情報に応じて対応する形態に変更されてディスプレイされることができる。
【０４０１】
また、統合ウィッシュリストに対する購買要請メニューを介して少なくとも一つのオブジェクトが選択されると、選択されたオブジェクトに対応するサービス提供サーバに該当オブジェクトに対する情報を要請できる。次に、統合ウィッシュリストに記録された前記選択されたオブジェクトに対する情報と要請に応じて受信された情報が一致しない場合、該当内容を出力できる。
【０４０２】
図４１は、本発明の一実施形態にかかるサーバの制御方法を説明するための図である。
【０４０３】
図４１に示すサーバの制御方法によれば、まず、ユーザ端末装置と通信を行う（Ｓ４１１０）。
【０４０４】
次に、ユーザ端末装置に格納された統合ウィッシュリスト機能を提供するためのアプリケーションを実行することによって、複数の互いに異なるサービス提供サーバを介して各々選択されたオブジェクトに対する情報を受信する（Ｓ４１２０）。
【０４０５】
この後、受信されたオブジェクト情報を統合して統合ウィッシュリストを管理する（Ｓ４１３０）。
【０４０６】
また、ユーザ端末装置またはユーザ端末装置と連動したディスプレイ装置において複数の互いに異なるサービス提供サーバを介して提供されるサービス提供画面がディスプレイされると、サービス提供画面上に統合ウィッシュリストが活性化されていることを表すオブジェクトを表示できる。
【０４０７】
また、統合ウィッシュリスト機能において提供する購買要請メニューを介して少なくとも一つのオブジェクトが選択されると、選択されたオブジェクトに対応するサービス提供サーバに該当オブジェクトに対する購買要請を送信できる。
【０４０８】
また、統合ウィッシュリストに対する購買要請メニューを介して少なくとも一つのオブジェクトが選択されると、サービス提供サーバに選択されたオブジェクトに対する情報を要請できる。次に、予め格納された選択されたオブジェクトに対する情報と購買要請メニューが選択された時点でサービス提供サーバから提供するオブジェクトに対する情報とが一致しない場合、アップデートされた商品情報をユーザ端末装置に通知できる。
【０４０９】
また、予め設定されたイベント発生時にサービス提供サーバに統合ウィッシュリストに記録されたオブジェクトに対する情報を要請し、アップデートされた商品情報をチェックして統合ウィッシュリストをアップデートできる。
【０４１０】
また、統合ウィッシュリストに対する購買要請メニューを介して少なくとも一つのオブジェクトが選択されると、オブジェクトに対する決済ページを提供したり、サービス提供サーバから提供する決済ページに接続できる。
【０４１１】
これにより、複数のショッピングサイトサイトを介して提供される商品を一つのアプリケーションを介して管理できるようになる。
【０４１２】
一方、上述した実施形態では、統合ウィッシュリスト機能についてのみ説明したが、ウィッシュリスト機能と類似のショッピングカート機能に対しても同様に適用されてよい。よって、一つのアプリケーションを用いて多様な電子商取引ウェブサイトからアイテムを購買することができる。
【０４１３】
上述した本発明にかかるユーザ端末装置、ディスプレイ装置及びサーバの制御方法は、ｅ−Ｃｏｍｍｅｒｃｅ分野において応用活用できる。
【０４１４】
一方、上述した本発明の多様な実施形態にかかる方法は、既存のデバイスやユーザ端末装置に対するソフトウェアアップグレードだけでも具現化されることができる。
【０４１５】
また、上述の機能および制御方法をに行うコンピュータプログラムが記録された非一時的読み取り可能媒体（ｎｏｎ−ｔｒａｎｓｉｔｏｒｙ  ｒｅａｄａｂｌｅ  ｍｅｄｉｕｍ）が提供されることができる。
【０４１６】
非一時的読み取り可能媒体とは、レジスタ、キャッシュ、メモリなどのように短い瞬間の間にデータを格納する媒体でなく半永久的にデータを格納し、機器により読み取り（ｒｅａｄｉｎｇ）可能な媒体を意味する。具体的には、上述した多様なアプリケーションまたはプログラムは、ＣＤ、ＤＶＤ、ハードディスク、ブルーレイディスク、ＵＳＢ、メモリーカード、ＲＯＭなどのような非一時的読み取り可能媒体に格納されて提供されることができる。
【０４１７】
また、ユーザ端末装置、ディスプレイ装置及びサーバで各構成要素間の通信は、バスを介してなされることができる。また、各デバイスには、上述した多様なステップを行うＣＰＵ、マイクロ・プロセッサなどのようなプロセッサがさらに備えることができる。
【０４１８】
以上では、本発明の実施の形態について図示し説明したが、本発明は、上述した特定の実施の形態に限定されるものではなく、請求の範囲で請求する本発明の要旨から逸脱せずに当該発明が属する技術分野における通常の知識を有した者によって多様な変形実施が可能なことはもちろんで、このような変形実施は、本発明の技術的思想や展望から個別的に理解されてはならない。
【符号の説明】
【０４１９】
１０    ネットワーク
１１０    通信部
１２０    ディスプレイ部
１３０    格納部
１４０    制御部
１５０    ユーザインタフェース部
１６０    ＵＩ処理部
１７０    アプリケーション駆動部
１８０    撮像部
２１０    通信部
２２０    格納部
２３０    制御部
３１０    第１通信部
３２０    第２通信部
３３０    ディスプレイ部
３４０    格納部
３５０    制御部
３６０    ユーザインタフェース部
３７０    ＵＩ処理部
３８０    アプリケーション駆動部
３９０    撮像部
４１０    第１通信部
４２０    第２通信部
４３０    ディスプレイ部
４４０    格納部
４５０    ユーザインタフェース部
４６０    ＵＩ処理部
４７０    制御部
５１０    通信部
５２０    ディスプレイ部
５３０    格納部
５４０    ユーザインタフェース部
５５０    ＵＩ処理部
５６０    制御部
【図１】
2013218697.tif 000003
【図２】
2013218697.tif 000004
【図３】
2013218697.tif 000005
【図４】
2013218697.tif 000006
【図５】
2013218697.tif 000007
【図６】
2013218697.tif 000008
【図７】
2013218697.tif 000009
【図８】
2013218697.tif 000010
【図９】
2013218697.tif 000011
【図１０】
2013218697.tif 000012
【図１１】
2013218697.tif 000013
【図１２】
2013218697.tif 000014
【図１３】
2013218697.tif 000015
【図１４】
2013218697.tif 000016
【図１５】
2013218697.tif 000017
【図１６】
2013218697.tif 000018
【図１７】
2013218697.tif 000019
【図１８】
2013218697.tif 000020
【図１９】
2013218697.tif 000021
【図２０】
2013218697.tif 000022
【図２１】
2013218697.tif 000023
【図２２】
2013218697.tif 000024
【図２３】
2013218697.tif 000025
【図２４】
2013218697.tif 000026
【図２５】
2013218697.tif 000027
【図２６】
2013218697.tif 000028
【図２７】
2013218697.tif 000029
【図２８】
2013218697.tif 000030
【図２９】
2013218697.tif 000031
【図３０】
2013218697.tif 000032
【図３１】
2013218697.tif 000033
【図３２】
2013218697.tif 000034
【図３３】
2013218697.tif 000035
【図３４】
2013218697.tif 000036
【図３５】
2013218697.tif 000037
【図３６】
2013218697.tif 000038
【図３７】
2013218697.tif 000039
【図３８】
2013218697.tif 000040
【図３９】
2013218697.tif 000041
【図４０】
2013218697.tif 000042
【図４１】
2013218697.tif 000043